(57)【特許請求の範囲】
【請求項１】
遊技盤の遊技領域に設けられて変動表示を行い、表示結果を導出する可変表示装置の外周部分を装飾する装飾部材を備えた遊技機において、
前記装飾部材の下方の遊技領域には、玉が入賞可能な入賞口が備えられ、
前記装飾部材は、該装飾部材に受け入れられた玉が転動する転動部と、少なくとも該転動部を転動した玉が進入可能であると共に進入した玉を前記入賞口へ向けて誘導する誘導部と、を備え、
前記転動部は、前記誘導部を挟んで両側方に位置し且つ当該誘導部により転動領域が区切られた第１転動部と第２転動部とを含むと共に、該第１転動部と第２転動部とを、前記誘導部へ向かって転動する玉の経路が互いに異なる形状に形成し、玉が第１転動部又は第２転動部のいずれを転動するかに応じて前記誘導部への到達率を異ならせたことを特徴とする遊技機。
【請求項２】
前記第１転動部と前記第２転動部とには、それぞれ玉を前記第１転動部及び第２転動部から排出する経路又は前記誘導部へ導く経路に振り分ける振分手段を備え、
前記第１転動部と前記第２転動部とは、振分手段の形状を互いに異ならせたことを特徴とする請求項１記載の遊技機。
【請求項３】
前記振分手段は、前記第１転動部及び第２転動部の上流から下流にかけて段階的に複数設けられると共に、玉を前記第１転動部及び第２転動部から排出する経路又は下流側の振分手段へ誘導する経路に振り分ける通常振分手段と、該通常振分手段の下流側に玉を前記第１転動部及び第２転動部から排出する経路又は前記誘導部へ誘導する経路に振り分ける特別振分手段と、から構成されていることを特徴とする請求項２記載の遊技機。
【請求項４】
玉を前記第１転動部及び第２転動部から排出する経路は、玉を遊技領域の前面側に向けて移動させて前記第１転動部及び第２転動部から排出し、玉を前記誘導部へ誘導する経路は、玉を遊技領域の後方側に向けて移動させて前記誘導部に誘導することを特徴とする請求項２又は請求項３記載の遊技機。
【請求項５】
前記装飾部材は、前記遊技領域を流下する玉を受け入れるための導入口と、該導入口に受け入れられた玉を前記第１転動部と第２転動部とにそれぞれ誘導する誘導通路を備えたことを特徴とする請求項１乃至請求項４のいずれかに記載の遊技機。
【請求項６】
前記導入口は、前記誘導通路に対してそれぞれ設けられ、前記導入口のうち少なくとも１つの導入口は、他の導入口よりも上方に位置していることを特徴とする請求項５記載の遊技機。
【請求項７】
前記導入口が他の導入口よりも上方に位置する誘導通路は、前記第１転動部又は前記第２転動部のうち前記誘導部への玉の到達率が高い転動部へ玉を誘導することを特徴とする請求項６記載の遊技機。
【請求項８】
前記装飾部材には、前記誘導部へ到達しなかった玉を左右に転動させた後に遊技領域へ排出する第３転動部が形成されていることを特徴とする請求項１乃至請求項７のいずれかに記載の遊技機
【請求項９】
前記転動部は、両側方から左右方向ほぼ中央に向けて段階的に低くなるように形成されていることを特徴とする請求項１乃至請求項８のいずれかに記載の遊技機。
【請求項１０】
前記誘導部は、前記転動部のほぼ中央に形成されていることを特徴とする請求項９記載の遊技機。
【請求項１１】
前記入賞口は、前記可変表示装置で可変表示を開始させる条件の成立契機となる始動入賞口であることを特徴とする請求項１乃至請求項１０のいずれかに記載の遊技機。
【発明の詳細な説明】
【０００１】
【発明の属する技術分野】
本発明は、遊技盤の遊技領域に設けられて変動表示を行い、表示結果を導出する可変表示装置の外周部分を装飾する装飾部材を備えた遊技機に関するものである。
【０００２】
【従来の技術】
従来、一般に、遊技機としての弾球遊技機において、表示状態が変化（これを変動ともいう）可能な可変表示装置を遊技盤に設けた構成では、該可変表示装置の表示部の外周部分に装飾部材を設けることで、表示部の外周部分を装飾するようになっていたが、近年、表示部の大型化に伴い装飾部材も大型化されている。このように、装飾部材が大型化した場合には、玉が中央に集まり難くなり、装飾部材の下方にある入賞口に玉が入り難くなってしまう。このため、遊技領域を流下する玉を装飾部材に上方又は側方から受け入れて中央部付近に集めた後、可変表示装置の下方の遊技領域であって入賞口の上方に排出させるものが提案されている。
【０００３】
このような装飾部材として、例えば、装飾部材の下部に、下方に湾曲した円弧状に形成される転動部が設けられ、この転動部で玉を転動させた後、転動部の中央に形成された誘導部から入賞口に向けて、あるいは転動部の途中から入賞口以外の領域に向けて玉を排出させるものがある。このような転動部においては、遊技に変化を持たせるために、転動部の左右で形状を異ならせる等により、転動部の右側端部から転動部に排出された玉と、転動部の左側端部から転動部に排出された玉との誘導部への到達率が異なるように構成されているものがある。即ち、装飾部材に受け入れられた玉がたどる経路の違いにより、誘導部への到達率が異なるように構成されている。ところが、このような転動部の場合、玉が転動部上を大きく左右に転動するものであるため、左側端部から排出された玉と右側端部から排出された玉とが干渉することがあり、必ずしもそれぞれに設定された到達率で誘導部へ誘導されない場合があり、遊技の興趣を削いでしまうことがあった。
【０００４】
そこで、誘導部への到達率が異なる複数の経路を有する装飾部材において、それぞれの経路をたどる玉が互いに干渉しないように構成される装飾部材として、特開平７−８８２２７及び特開平１０−３２８３６９に示されるようなものがある。特開平７−８８２２７では、ワープ機構に受け入れられた玉がワープ機構内で流路変更手段により、入賞口への誘導率が高い排出路を有する誘導路又は入賞口への誘導率が低い排出路を有する誘導路へ振り分けられるが、それぞれの誘導路を転動する玉は、排出路まで転動する間に互いに干渉することがない。また、特開平１０−３２８３６９では、ワープ機構に複数の誘導口が形成されており、複数の誘導口がそれぞれ、入賞口への入賞率が高い開口部を有する通路と入賞口への入賞率が低い開口部を有する通路とに接続されている。そして、それぞれの誘導口に受け入れられた玉は、開口部まで転動する間に互いに干渉することがない。
【０００５】
このように、特開平７−８８２２７及び特開平１０−３２８３６９に示されるようなものにおいては、別の経路をたどる玉が互いに干渉することがないため、それぞれに設定された誘導率で排出路あるいは開口部へ誘導されるため、遊技の興趣を削いでしまうことはなかった。
【０００６】
【発明が解決しようとする課題】
ところが、上記した特開平７−８８２２７に示されるものの場合、玉を別の誘導路に振り分けるための流路変更手段は、モータにより駆動されるものであるため、製造コストが高くなるという問題があった。また、上記した特開平１０−３２８３６９に示されるものの場合、ワープ機構に受け入れられた玉が誘導される複数の通路が転動部の奥行方向に形成されているため、奥行方向に広い場所が必要となり、設計の自由度が低くなってしまうという問題があった。
【０００７】
本発明は、上記した事情に鑑みなされたもので、その目的とするところは、入賞確率の高い誘導部への到達率がそれぞれ異なる複数の経路を転動する玉が互いに干渉することがなく且つ省スペース化を図ることができる安価な装飾部材を有する遊技機を提供することにある。
【０００８】
【課題を解決するための手段】
上記目的を達成するために、請求項１の発明においては、遊技盤の遊技領域に設けられて変動表示を行い、表示結果を導出する可変表示装置の外周部分を装飾する装飾部材を備えた遊技機において、前記装飾部材の下方の遊技領域には、玉が入賞可能な入賞口が備えられ、前記装飾部材は、該装飾部材に受け入れられた玉が転動する転動部と、少なくとも該転動部を転動した玉が進入可能であると共に進入した玉を前記入賞口へ向けて誘導する誘導部と、を備え、前記転動部は、前記誘導部を挟んで両側方に位置し且つ当該誘導部により転動領域が区切られた第１転動部と第２転動部とを含むと共に、該第１転動部と第２転動部とを、前記誘導部へ向かって転動する玉の経路が互いに異なる形状に形成し、玉が第１転動部又は第２転動部のいずれを転動するかに応じて前記誘導部への到達率を異ならせたことを特徴とする。このように構成することにより、装飾部材に受け入れられた玉は、第１転動部又は第２転動部のいずれかを転動した後、入賞口へ玉を入賞させる確率の高い誘導部へ導かれるが、第１転動部と第２転動部とは、互いに形状が異なることにより、第１転動部を転動する玉と第２転動部を転動する玉とでは、誘導部へ到達する確率が異なる。従って、入賞口への入賞確率も第１転動部を転動する玉と第２転動部を転動する玉とでは異なるため、玉が第１転動部と第２転動部のいずれを転動するかに遊技者が期待を持って遊技を行なうことができる。
【０００９】
また、第１転動部と第２転動部とは、前記誘導部を挟んで両側方に位置し且つ誘導部により転動領域が区切られているため、第１転動部を転動する玉は、誘導部を越えて第２転動部まで転動してしまうことを抑止することができ、同様に、第２転動部を転動する玉は、誘導部を越えて第１転動部まで転動してしまうことを抑止することができる。従って、第１転動部を転動する玉と第２転動部を転動する玉とは、誘導部以外では、互いに干渉する可能性が低い。このため、第１転動部及び第２転動部を転動する玉の誘導部への到達率は、設定された到達率で到達する可能性が高いため、遊技の興趣を削ぐことがない。
【００１０】
また、誘導部への到達率の違いは、第１転動部と第２転動部の形状の違いによるものであるため、複雑な機構等を用いることなく、簡単な構造で誘導部への到達率に変化を与えることができるため、製造コストの低減を図ることができる。
【００１１】
また、転動部は、誘導部を挟んで両側方に位置する第１転動部と第２転動部とにより構成されているため、奥行方向に広い場所を必要とせず、転動部の構造の省スペース化を図ることができる。
【００１２】
また、請求項２の発明においては、前記第１転動部と前記第２転動部とには、それぞれ玉を前記第１転動部及び第２転動部から排出する経路又は前記誘導部へ導く経路に振り分ける振分手段を備え、前記第１転動部と前記第２転動部とは、振分手段の形状を互いに異ならせたことを特徴とする。このように構成することにより、第１転動部と第２転動部とで玉の動きを変えることができると共に、遊技者が、玉が誘導部へ到達するか否かの振り分け態様を楽しむことができる。
【００１３】
また、請求項３の発明においては、前記振分手段は、前記第１転動部及び第２転動部の上流から下流にかけて段階的に複数設けられると共に、玉を前記第１転動部及び第２転動部から排出する経路又は下流側の振分手段へ誘導する経路に振り分ける通常振分手段と、該通常振分手段の下流側に玉を前記第１転動部及び第２転動部から排出する経路又は前記誘導部へ誘導する経路に振り分ける特別振分手段と、から構成されていることを特徴とする。このように構成することにより、玉の動きにより変化を持たせることができると共に、遊技者が、玉が誘導部へ到達するか否かの振り分け態様をより長く楽しむことができる。
【００１４】
また、請求項４の発明においては、玉を前記第１転動部及び第２転動部から排出する経路は、玉を遊技領域の前面側に向けて移動させて前記第１転動部及び第２転動部から排出し、玉を前記誘導部へ誘導する経路は、玉を遊技領域の後方側に向けて移動させて前記誘導部に誘導することを特徴とする。このように構成することにより、玉を遊技領域前面側にのみあるいは、後方側にのみ順次振り分ける構造のように奥行方向に広い場所を必要とせず、振分手段の構造の省スペース化を図ることができる。
【００１５】
また、請求項５の発明においては、前記装飾部材は、前記遊技領域を流下する玉を受け入れるための導入口と、該導入口に受け入れられた玉を前記第１転動部と第２転動部とにそれぞれ誘導する誘導通路を備えたことを特徴とする。このように構成することにより、玉が入賞する誘導通路によって、誘導部への到達率が異なる第１転動部と第２転動部とのいずれかに誘導されるため、いずれの誘導通路に玉が入球するか、遊技者に期待を持たせることができ、遊技の興趣を向上することができる。
【００１６】
また、請求項６の発明においては、前記導入口は、前記誘導通路に対してそれぞれ設けられ、前記導入口のうち少なくとも１つの導入口は、他の導入口よりも上方に位置していることを特徴とする。このように構成することにより、たとえ上方に位置する導入口に玉が受け入れられなくても、下方に位置するその他の導入口に玉が受け入れられる可能性があるため、遊技者は、上方に位置する導入口に玉が受け入れられなかった玉に対しても装飾部材への受け入れ、ひいては、誘導部への到達の期待を持つことができる。
【００１７】
また、請求項７の発明においては、前記導入口が他の導入口よりも上方に位置する誘導通路は、前記第１転動部又は前記第２転動部のうち前記誘導部への玉の到達率が高い転動部へ玉を誘導することを特徴とする。このように構成することにより、たとえ誘導部への到達率が高い転動部へ誘導する導入口に受け入れられなくても、下方には、その到達率が低いながらも誘導部へ到達する可能性のある転動部へ誘導する導入口があるため、遊技者は、積極的に誘導部への到達率が高い転動部へ誘導する導入口への入球を狙う楽しさを充分に味わうことができる。
【００１８】
また、請求項８の発明においては、前記装飾部材には、前記誘導部へ到達しなかった玉を左右に転動させた後に遊技領域へ排出する第３転動部が形成されていることを特徴とする。このように構成することにより、誘導部へ到達することなく前記第１転動部又は前記第２転動部から排出された玉は、第３転動部で左右に転動するため、入賞口への入賞の確率が低いが、確率が低いながらも入賞の可能性が残されているため、遊技者は、これらの玉に対しても入賞の期待を持つことができ、遊技の興趣を向上させることができる。
【００１９】
また、請求項９の発明においては、前記転動部は、両側方から左右方向ほぼ中央に向けて段階的に低くなるように形成されていることを特徴とする。このように構成することにより、転動部は、両側方からほぼ中央に向けて段階的に低くなるように形成されているので、第１転動部及び第２転動部をほぼ同様の転動過程とすることができる。
【００２０】
また、請求項１０の発明においては、前記誘導部は、前記転動部のほぼ中央に形成されていることを特徴とする。このように構成することにより、玉が中心に向かうに従ってより入賞の確率が高くなる構成であるため、遊技者は、玉が中心に向かう過程を楽しむことができると共に、玉の位置により入賞の確率の程度を視覚的に容易に判断することができる。
【００２１】
更に、請求項１１の発明においては、前記入賞口は、前記可変表示装置で可変表示を開始させる条件の成立契機となる始動入賞口であることを特徴とする。このように構成することにより、装飾部材に受け入れられた玉がいずれの転動部を転動するかが始動入賞口への玉の入賞の確率を左右し、ひいては、可変表示装置で可変表示が行われるか否かに影響するため、遊技者をより惹き付けることができ、遊技の興趣を向上することができる。
【００２２】
【発明の実施の形態】
以下、図面を参照して、本発明の実施形態について説明する。まず、図１乃至図４を参照して実施形態に係る遊技機としての弾球遊技機１の全体の構成について説明する。弾球遊技機１は、図１及び図３に示すように、縦長な方形状に枠組み形成される外枠２と、該外枠２の一側に開閉自在に軸支され且つ弾球遊技機１の主要構成部のほぼすべてが集約して設けられる前面枠３と、該前面枠３の前面上部に開閉自在に設けられる前面開閉枠４とから構成されている。また、前面枠３に設けられる主要構成部としては、上記した前面開閉枠４、遊技盤４０、上皿１９、下皿２７、灰皿２９、操作ハンドル３０、機構板１００、玉発射装置８７がある。また、図示の実施形態では、弾球遊技機１の側方に遊技者に遊技玉を貸し出すためのカードユニット装置３１が付設されている。
【００２３】
前面開閉枠４には、後述する遊技盤４０の遊技領域４１をほぼ透視し得る円形透視窓５が開設され、該円形透視窓５の裏面から複層ガラス板が装着されている。また、前面開閉枠４の上側には、円形透視窓５の外周に沿って、遊技効果ランプとしての装飾ランプ６〜８，１５，１６が臨んでいる。この装飾ランプ６〜８，１５，１６は、遊技状態に応じて点灯又は点滅されるものであり、特別の遊技状態の発生時や継続時を遊技者に報知すると共に遊技の雰囲気を盛り上げるものである。また、円形透視窓５の外周には、払い出すべく賞球が不足したこと（後述する球切れスイッチ１１５が作動したとき）を報知する玉切れランプ９や、入賞玉の発生に基づいて所定個数の賞球が払い出されたことを報知する賞球ランプ１０（なお、賞球未払出分がある場合に報知する方式でもよい）が設けられ、更に、前面開閉枠４の上部左右に遊技の進行に応じた効果音を発生するスピーカ１２ａ，１２ｂが設けられている。なお、各ランプ６〜８，９，１０，１５，１６の前方は、それぞれ透光性を有する赤色、緑色等のランプカバーで被覆されるようになっている。特に、玉切れランプ９の点灯を赤色発光で行い、賞球ランプ１０の点灯を緑色発光で行うことにより、遊技者に対して状況を報知するようになっている。また、スピーカ１２ａ，１２ｂの前面には、パンチメタル１１が取り付けられてスピーカ１２ａ，１２ｂから発生される音声を通すようになっている。また、スピーカ１２ａ，１２ｂの近傍（パンチメタル１１の裏面側）には、それぞれ光装飾用の遊技効果ＬＥＤとしての装飾ＬＥＤ３７，３８が前面開閉枠４に取り付けられている。
【００２４】
次に、前面開閉枠４の下側に取り付けられる上皿１９の構成について説明すると、上皿１９は、複数の合成樹脂製部材を組合せた皿部材を固着することにより構成されている。上皿１９の開放側の上方には、玉抜き操作レバー２１が設けられている。この玉抜き操作レバー２１は、左右方向に移動可能に設けられ、スプリング（図示しない）の付勢力に抗して一方向に移動させることにより、上皿１９に貯留されていた玉を裏面側に形成される玉抜き路（図示しない）を流下させて下皿２７に誘導するものである。
【００２５】
上記した上皿１９について、さらに詳細に説明すると、上皿１９は、その上流側に形成される賞玉払出口２０から払い出された賞球を一旦貯留した後、発射位置に玉を供給するものである。また、上皿１９には、弾球遊技機１に隣接して設けられるカードユニット装置３１を介して遊技玉を借り受ける際に操作する操作部が設けられている。この操作部は、球貸スイッチ２４と返却スイッチ２５（共に図４に符号のみを記載）と表示ＬＥＤ（図示しない）が実装される残高表示基板２３（図４に符号のみを記載）からなり、該残高表示基板２３が上皿１９の上面に臨むように設けられている。また、上皿１９の開放側には、前面開閉枠４を前面枠３に対して施錠し且つ前面枠３を外枠２に対して施錠する施錠装置（図示しない）を操作するためのシリンダー錠２６が臨んでいる。
【００２６】
また、前面枠３の下部に取り付けられる下皿２７は、前記上皿１９から溢れた賞球であって余剰球通路（図示しない）を介して接続樋９３（図３参照）から排出される余剰の賞球を貯留するものであり、その下皿２７の前面壁には、玉抜き操作レバー２８がスライド可能に取り付けられるようになっている。この玉抜き操作レバー２８を操作することにより、下皿２７に貯留されていた賞球を下方に玉抜きして持ち運び可能な玉箱に移し替えることができる。また、下皿２７の左側には、灰皿２９が設けられ、右側には、操作ハンドル３０が設けられている。操作ハンドル３０は、図３に示す玉発射装置８７の発射装置電動機８８（ステッピングモータ）の駆動を一時的に停止させるための単発発射スイッチ９１及び遊技者が操作ハンドル３０を触れていることを検知するタッチセンサ（図示しない）を内蔵していると共に、弾発力を調節する指掛け部３２（図１参照）を備えるものである。
【００２７】
一方、弾球遊技機１の背面には、図３に示すように、入賞玉の発生に基づいて所定個数の賞球を払い出すための各種の機構を装備した機構板１００が設けられると共に、前記操作ハンドル３０に対応する裏面には、発射装置電動機８８及び打球槌（図示しない）を有する玉発射装置８７が固着され、その玉発射装置８７の側方には、余剰球通路から流下してきた玉を前記下皿２７に誘導する接続樋９３が固着されている。上記した構成のうち、玉発射装置８７には、発射制御基板９０が付設されており、この発射制御基板９０によって玉発射装置８７が駆動制御されるようになっている。
【００２８】
以上で、弾球遊技機１の全体の概略構成を説明したが、以下、弾球遊技機１を構成する要素のうち、遊技盤４０と、機構板１００の詳細な構成について順次説明する。
【００２９】
まず、主に図２を参照して遊技盤４０について説明する。遊技盤４０は、前面枠３の裏面側に一体的に形成される遊技盤収納枠部（図示しない）に収容固定されるべく、ほぼ正方形状の合板により形成され、その表面には、円形うず巻き状に誘導レール４２が取り付けられ、該誘導レール４２の内側が遊技領域４１とされて発射された打玉が落下するものである。遊技領域４１には、図示の場合、可変表示装置４４、特別可変入賞球装置４８、普通可変入賞球装置５８、通過玉検出器６１ｂを内蔵する通過口６１ａ等が設けられると共に、単に打玉を入賞とする入賞口、打玉の流下方向，速度を変化せしめる風車又は多数の障害釘が設けられ、また、遊技領域４１の最下方には、いずれの入賞装置にも入賞しない打玉が取り込まれるアウト口６９が設けられている。
【００３０】
遊技領域４１の構成をその遊技動作に従ってより詳細に説明すると、可変表示装置４４の下方に普通可変入賞球装置５８が設けられ、この普通可変入賞球装置５８の両側方には、それぞれ通過玉検出器６１ｂを内蔵する通過口６１ａが設けられている。この通過玉検出器６１ｂは、遊技領域４１を落下する打玉の通過を検出すると、その検出信号に基づいて可変表示装置４４の上部側に設けられる左右一対のＬＥＤからなる普通図柄表示器６３を可変表示（点灯移動）して表示結果を導出する（左右いずれか一方のＬＥＤのみを点灯表示する）。しかして、普通図柄表示器６３の表示結果が予め定められた当りＬＥＤの点灯（図示の場合は、左側のＬＥＤ）である場合に、普通可変入賞球装置５８が所定時間開放される。なお、普通図柄表示器６３の可変時間は、通常確率モードのときに相対的に長く（例えば、３０秒）、確率変動モードのときに相対的に短く（例えば、３〜５秒）設定されている。また、普通図柄表示器６３の上方には、普通図柄表示器６３の可変表示中に通過玉検出器６１ｂを通過した打玉数を記憶表示する普通図柄記憶表示ＬＥＤ６４（最高４個まで記憶表示する）が設けられている。
【００３１】
普通可変入賞球装置５８は、遊技領域４１のほぼ中央に配置される可変表示装置４４と遊技領域４１の前記アウト口６９の上部に配置される特別可変入賞球装置４８との間に配置され、ソレノイド５９（図４に符号のみを記載）によって開閉駆動される電動チューリップタイプの可変入賞球装置である。そして、普通可変入賞球装置５８には、始動玉検出器６０が内蔵され、開放中又は閉成中に受け入れた入賞玉を検出するようになっている。しかして、打玉が始動玉検出器６０によって検出されると可変表示装置４４が可変表示を開始する。なお、普通可変入賞球装置５８の開放時間は、通常確率モードのときに相対的に短く（例えば、０．５秒）、確率変動モードのときに相対的に長く（例えば、２秒）設定されている。また、普通可変入賞球装置５８が開放していない場合でも打玉を受け入れるようになっている。
【００３２】
可変表示装置４４は、図２に示すように、特別図柄を可変表示可能な画像表示部１６０を有した液晶タイプの表示器であり、該画像表示部１６０の前方外周には、横長形状の窓枠部１６２（図５参照）が開設された装飾部材１６１が設けられる。そして、可変表示装置４４の変動停止時における図柄の組合せが予め定めた大当り図柄の組合せ（例えば、同一の図柄が当りラインのいずれかに揃った場合）である場合に、特定遊技状態となって特別可変入賞球装置４８を次に説明する所定の態様で開閉駆動するものである。ただし、大当り図柄の組合せの一部は、確率変動図柄として設定され、この確率変動図柄で特定遊技状態となったときには、その特定遊技状態終了後における前記普通図柄表示器６３における当り（当りＬＥＤの点灯）の出現確率や可変表示装置４４における大当り図柄の出現確率が高くなる確率変動モードとなるように設定されている。また、可変表示装置４４には、前述したような普通図柄表示器６３及び普通図柄記憶ＬＥＤ６４に加えて、画像表示部１６０の外周部分を光装飾する飾りＬＥＤ４５（図４に符号のみを記載）と、可変表示装置４４の可変動作中に前記始動玉検出器６０によって検出された玉数を記憶表示する特別図柄始動記憶表示ＬＥＤ４６（最高４個まで記憶表示する）と、が設けられている。なお、可変表示装置４４は、液晶タイプのものに限らず、ＣＲＴ，ドットマトリクス，ＬＥＤ，７セグメント，ドラム等により構成されるものであっても良い。また、装飾部材１６１の構成については後に詳述するものである。
【００３３】
特定遊技状態となったときに駆動制御される特別可変入賞球装置４８は、ソレノイド５０（図４に符号のみを記載）によって開閉駆動される開閉板４９を有し、その開閉板４９に受け入れられた打玉を検出する入賞個数検出器５２が設けられている。また、特別可変入賞球装置４８内（開閉板４９の内側）には、打玉の検出（Ｖ入賞検出）に伴って特定遊技状態の継続権を成立させる特定玉検出器５１が設けられており、該特定玉検出器５１の上方には、一旦Ｖ入賞検出があると次に開閉板４９を開放するまでは打玉が特定玉検出器５１を通過しないようにするＶシャッター５３が設けられている。このＶシャッター５３は、ソレノイド４３（図４に符号のみを記載）によって開閉駆動が行われる。なお、Ｖシャッターの他の例として、例えば、左右に並んだＶ入賞口と通常の入賞口の前面側に掛け渡されるシーソー状の可動部材により構成されるものがある。この可動部材の中心には、支点が設けられると共に、その一端には、ソレノイドが接続され、このソレノイドが駆動することにより、可動部材の両端が支点を中心に上下動するものである。このようなＶシャッターの動作は、ソレノイドがＯＦＦした状態では、可動部材のＶ入賞口側が下降してＶ入賞に玉が入賞し得る状態となる。この状態でＶ入賞口に玉が入賞すると、ソレノイドがＯＮして可動部材のＶ入賞口側が上昇し、可動部材がＶ入賞口の前面側に位置して遮り、玉が入賞し難くなる。一方、可動部材の通常の入賞口側が下降して通常の入賞口へ玉の入賞がし易くなるというものである。
【００３４】
しかして、特定遊技状態となった場合には、一定時間（例えば、２８秒）が経過するまで又はその一定時間内に所定個数（例えば、１０個）の入賞玉が入賞するまで開閉板４９を開放（以下、この開放を開放サイクルという）し、その開放サイクル中に受け入れられた打玉が特定玉検出器５１によって検出されたときに継続権が成立して、再度上記した開放サイクルが実行され、各開放サイクルにおいて継続権が成立していることを条件に所定回数(例えば、最高１６回)の開放サイクルを繰り返すことができるようになっている。
【００３５】
以上説明した本実施形態において、打球が入賞する入賞口及び入賞装置には、入賞玉を検出するための信号が導出される入賞玉検出器５１，５２，５５ａ，５５ｂ，６５ａ，６５ｂがすべて設けられている。これは、これらの検出信号に基づいて所定個数の賞球を払い出すために使用されるものである。なお、入賞玉検出器５５ａ，５５ｂは、入賞装置５５に内蔵され、入賞検出器６５ａ，６５ｂは、入賞装置６５に内蔵されるものである。しかして、これらの入賞玉検出器５１，５２，５５ａ，５５ｂ，６５ａ，６５ｂは、図４に示すように、主基板１５１に接続されている。
【００３６】
遊技盤４０の遊技領域４１には、上記したようにスイッチやソレノイド、あるいは飾りランプや飾りＬＥＤ等の電気的部品が多数設けられるが、これらは、主基板１５１や電飾制御基板８０に接続されるようになっている。即ち、図４に示すように、遊技盤４０に設けられる各スイッチ５１，５２，５５ａ，５５ｂ，６５ａ，６５ｂ，６１ｂ及び各ソレノイド４３，５０，５９は、主基板１５１に接続され、遊技盤４０に設けられる飾りランプ５６，６７ａ（共に図４に遊技効果ランプとして符号のみを記載）、遊技盤４０に設けられる飾りＬＥＤ４５(図４に遊技効果ＬＥＤとして記載)、特別図柄始動記憶ＬＥＤ４６、普通図柄始動記憶ＬＥＤ６４は、電飾制御基板８０に接続されている。
【００３７】
一方、遊技盤４０の裏面には、図３に示すように、前記可変表示装置４４の裏面が突出して設けられている。この可変表示装置４４の裏面部分には、表示制御基板７５が表示制御基板カバー７４に被覆されて取り付けられている。表示制御基板７５は、可変表示装置４４の可変表示動作を主基板１５１からの情報信号の種類に応じて駆動制御するものである。
【００３８】
また、上記した可変表示装置４４裏面の周囲には、カバー体７０が取り付けられ、このカバー体７０に連通するようにその下部に入賞玉誘導カバー体７１が取り付けられている。カバー体７０には、その中央に前記可変表示装置４４が挿入される窓孔７２が形成されると共に、情報端子基板７８が取り付けられている。なお、カバー体７０は、窓孔７２の外周部分に穿設された取付穴（図示しない）が遊技盤４０の裏面にビス止めされることで取り付けられる。情報端子基板７８は、弾球遊技機１の営業管理上必要な遊技情報（例えば、特定遊技状態中である旨を報知する大当り１情報、確率変動図柄で特定遊技状態となり、その特定遊技状態中及びその大当りによる確率変動中である旨を報知する大当り２情報（特定遊技状態中と確率変動中に出力され続ける信号）、確率変動図柄による特定遊技状態終了後の確率変動中である旨を報知する確率変動情報、始動玉検出器をＯＮした打玉の数を報知する始動口情報、可変表示装置４４の可変動作回数を報知する図柄確定回数１情報、普通可変表示装置の可変動作回数を報知する図柄確定回数２情報、及び普通可変入賞球装置の開閉回数を報知する役物回数情報）を遊技場に設置される管理コンピュータに出力するための外部接続端子を有し、これらの情報が主基板１５１から与えられるようになっている。
【００３９】
また、入賞玉誘導カバー体７１の後面側には、電飾制御基板８０及び効果音制御基板８２を収容する制御基板ボックス７９が取り付けられている。電飾制御基板８０は、図４に示すように、遊技盤４０の遊技領域４１（必ずしも遊技領域４１の内部に設けられなくてもよく、遊技盤４０に設けられていれば良い）に設けられる飾りランプや飾りＬＥＤ、及び前面枠３や前面開閉枠４に設けられる飾りランプや飾りＬＥＤ等を主基板１５１からの情報信号に応じて一括して駆動制御するものである。また、効果音制御基板８２は、前記スピーカ１２ａ，１２ｂを駆動制御するものであり、主基板１５１からの情報信号に応じて遊技内容に対応した効果音を発生させるものである。また、効果音制御基板８２には、音量を切り替える音量スイッチ８３（図４に符号のみを記載）が設けられている。
【００４０】
次に、弾球遊技機１の背面に設けられる機構板１００の構成について図３を参照して説明する。図３において、機構板１００は、玉を貯留する貯留タンク１０５と該貯留タンク１０５に貯留された賞球を下流側に整列しながら誘導する玉整列レール部材１０８及びカーブレール部材１１１と、カーブレール部材１１１からの玉を誘導する玉通路１１４と、入賞に基づく賞球を払い出す玉払出装置１１６と、主として遊技盤４０に打ち込まれた入賞玉を含む打玉を処理する処理機構と、が前記機構板１００の基体をなす機構板主体１０１上に設けられる。玉整列レール部材１０８の下流側上部には、外部との信号線が接続される外部接続端子を有する情報端子基板（図４で情報端子基板１と記載）１３２が設けられる。情報端子基板１３２に設けられる外部接続端子１３３からは、外部（例えば、管理コンピュータ）へ貯留タンク１０５にて玉が不足している旨の玉切れ情報と貸球情報と賞球情報とが出力される。
【００４１】
また、カーブレール部材１１１の下流側には、垂直状に玉通路部材が設けられる。具体的には、左右２列の玉通路１１４から玉通路部材が構成され、該２列の玉通路１１４には、それぞれ球切れスイッチ１１５が通路に臨むように設けられている。この球切れスイッチ１１５は、図４に示すように、主基板１５１に接続され、球切れスイッチ１１５が玉を検出しなくなったときには、玉払出装置１１６の作動を停止して玉の払出を不能動化させるようになっている。玉払出装置１１６は、ほぼ直方体形状をなすケースの内部に収納されて機構板主体１０１の前面側に着脱自在に取り付けられるようになっている。
【００４２】
また、機構板１００の下部後面側には、電圧の異なる複数の電源を生成する電源ユニット基板１３７を収容する電源ユニットボックス１３６と、遊技盤４０に設けられる可変表示装置４４や特別可変入賞球装置４８等の遊技装置の動作を制御する主基板１５１を収容する主基板ボックス１５０と、前記玉払出装置１１６の動作を制御する払出制御基板１４４を収容する払出制御基板ボックス１４３が設けられる。電源ユニット基板（電源生成基板）１３７は、ＤＣ３０Ｖ、ＤＣ２１Ｖ、ＤＣ１２Ｖ、ＤＣ５Ｖ、ＡＣ２４Ｖの５種類の電圧を生成し、各制御基板に所定の電源を供給する。
【００４３】
以上、弾球遊技機１の構成、遊技盤４０の構成、及び機構板１００の構成について説明してきたが、次に、配線接続される回路構成について、図４を参照して説明する。主基板１５１には、遊技盤４０に設けられる各玉検出器（スイッチ）５１，５２，５５ａ，５５ｂ，６１ｂ，６５ａ，６５ｂ及び始動玉検出器６０、また、満タンスイッチ１２９及び球切れスイッチ１１５、更に、払い出された賞球を検出する賞球カウントスイッチ１２０からの信号が入力されるものである。
【００４４】
また、主基板１５１は、遊技盤４０に設けられるソレノイド４３，５０，５９を駆動制御すると共に、外部情報端子基板（図中、情報端子基板２と記載）７８へ遊技情報を出力する。また、主基板１５１は、電飾制御基板８０、効果音制御基板８２、表示制御基板７５、払出制御基板１４４と接続され、制御信号を主基板１５１から各制御基板８０，８２，７５，１４４への一方向通信によりそれぞれ出力する。電飾制御基板８０は、主基板１５１から入力される電飾制御信号に応じて、各種ランプ６〜１０，１５，１６，５６，６７ａ及び各種ＬＥＤ３７，３８，４５を表示駆動制御し、効果音制御基板８２は、主基板１５１から入力される効果音制御信号に応じてスピーカ１２ａ，１２ｂを駆動制御する。また、表示制御基板７５は、主基板１５１から入力される表示制御信号に応じて可変表示装置４４、普通図柄表示器６３の表示結果を導出するように制御する。払出制御基板１４４は、主基板１５１から入力される払出制御信号に応じて玉払出装置１１６を駆動制御すると共に、発射制御基板９０へ発射制御信号を出力する。また、払出制御基板１４４は、カードユニット装置３１、残高表示基板２３と接続され、貸玉払出の制御を行う。発射制御基板９０は、払出制御基板１４４からの発射制御信号に応じて発射装置８７の制御を行う。また、外部情報出力基板１３２は、主基板１５１、払出制御基板１４４と接続され、外部へ遊技情報を出力する。
【００４５】
次に、本実施形態の要部を構成する装飾部材１６１について図５乃至図１２を参照して説明する。図５は、装飾部材１６１及び普通可変入賞球装置５８の斜視図であり、図６は、装飾部材１６１に受け入れられた玉の動きを示す斜視図であり、図７は、装飾部材１６１の第１転動部１９１，第２転動部１９２，誘導部１７３及び第３転動部１６９の周辺を示す平面図であり、図８は、第１転動部１９１，第２転動部１９２，誘導部１７３及び第３転動部１６９での玉の動きを示す平面図であり、図９乃至図１１は、種々の形状に形成された振分手段１７５，１７６ａ，１７６ｂを示す概略図であり、図１２は、第１転動部１９１に特定振分手段１７５及び通常振分手段１７６ａがそれぞれ１つずつ形成された状態の平面図である。なお、以下の説明においては、弾球遊技機１の遊技者側を遊技領域４１前面側，手前側及び前面側で示し、弾球遊技機１を挟んで遊技者と反対側を遊技領域４１裏面側，奥側，裏面側及び後面側で示す。また、図５及び図６については、第２転動部１９２の詳細な符号は省略してあるため、第２転動部１９２の詳細な符号については、図７等を参照のこと。
【００４６】
図５に示すように、装飾部材１６１の下方には、始動入賞口（入賞口）としての普通可変入賞球装置５８が備えられており、この普通可変入賞球装置５８は、前述のように、打玉が入賞することにより、可変表示器４４が可変表示を行うものである。このように、装飾部材１６１の下方に普通可変入賞球装置５８が備えられているため、装飾部材１６１の側方を流下する打玉は、普通可変入賞球装置５８に入賞し難いが、後述するように、装飾部材１６１は、打玉を受け入れることができ、装飾部材１６１に受け入れられた打玉は、装飾部材１６１下部の中央付近から下方に排出されるため、普通可変入賞球装置５８に誘導され易くなっている。また、このように、装飾部材１６１の下方に備えられる入賞口は、可変表示装置４４で可変表示を開始させるための普通可変入賞球装置５８であるため、後述する特定振分手段１７５ａ，１７５ｂ（図７参照）あるいは通常振分手段１７６ａ〜１７６ｄ（図７参照）の振り分け結果が普通可変入賞球装置５８への玉の入賞の確率を左右し、ひいては、可変表示装置４４で可変表示が行われるか否かに影響するため、遊技者をより惹き付けることができ、遊技の興趣を向上することができるものである。なお、始動入賞口として、開放状態及び閉成状態とに変化する普通可変入賞球装置５８を示したが、変化しない入賞口や玉が通過する形式の通過口等であっても良い。
【００４７】
装飾部材１６１は、図５に示すように、該装飾部材１６１を遊技盤４０の表面に取り付けるための取付基板１６３と、該取付基板１６３の裏面側に取り付けられて装飾部材１６１の奥行き方向の中心部分を構成する中間部材１６４と、該中間部材１６４の裏面側に取り付けられて可変表示装置４４の画像表示部１６０が臨設する枠部材１６５と、該枠部材１６５の表面の両側方に取り付けられて後述する誘導通路１７８ａ，１７８ｂの一側壁を構成する通路基体１６６ａ，１６６ｃ（図示しない）と、取付基板１６３の表面の両側方に取り付けられて同じく誘導通路１７８ａ，１７８ｂの他側壁を構成する通路枠１６６ｂ，１６６ｄと、を備えている。
【００４８】
取付基板１６３は、前記窓枠部１６２の前側を構成する枠開口部１８９と、該枠開口部１８９の前端側の全周に亘って形成されたフランジ部１６７と、を備えた額縁形状をなしている。フランジ部１６７には、取付基板１６３を遊技盤４０にビス止めするための取付穴１６８が適宜間隔を置いて複数穿設されている。また、取付基板１６３の裏面側の下部には、装飾部材１６１内に受け入れられた玉を転動させるための第３転動部１６９が裏面側に向かって立設されている。第３転動部１６９は、両側方が高く、下方に湾曲した円弧状に形成されるものである。この第３転動部１６９の遊技領域４１前面側には、第３転動部１６９を転動する玉が後述する玉放出部１７０以外の位置から手前に放出されることを防止するための放出防止リブ１７１が形成されている。放出防止リブ１７１は、フランジ部１６７を取付基板１６３の上方に向けて延長するように、フランジ部１６７とほぼ同じ厚さで形成されている。この放出防止リブ１７１のほぼ中央には、第３転動部１６９を転動する玉を排出するための玉放出部１７０が形成されている。なお、第３転動部１６９の玉放出部１７０に対応する位置には、玉を玉放出部１７０から放出させ易くするための副転動部１９０が形成されている。副転動部１９０は、その底面が第３転動部１６９よりも更に下方に湾曲した円弧状であり、手前側から奥側に向けてその幅寸法が徐々に広がるように形成されるものである。
【００４９】
中間部材１６４は、全体として取付基板１６３の第３転動部１６９の曲面に沿うような形状に形成されるものであり、図７に示すように、その左右方向ほぼ中央に誘導部１７３が形成されると共に、この誘導部１７３を挟んで両側方に第１転動部１９１及び第２転動部１９２が形成されている。なお、この第１転動部１９１及び第２転動部１９２が転動部を構成するものである。
【００５０】
第１転動部１９１の上面には、振分手段１７５ａ，１７６ａ，１７６ｂを構成する振分突起１８１ａ〜１８１ｃ及び振分面１８６ａ，１８７ａ，１８７ｂと、振り分けられた玉を第３転動部１６９へ排出させるための排出部経路１８４ａ〜１８４ｃと、振り分けられた玉を下流側へ導くための入賞経路１８３ａ及び次段階経路１８５ａ，１８５ｂと、排出部経路１８４ａ〜１８４ｃ側に振り分けられた玉が排出部経路１８４ａ〜１８４ｃの下流端以外の位置から排出されることを抑止するための排出抑止壁１７２ａ〜１７２ｃと、が形成されている。
【００５１】
同じく、第２転動部１９２の上面には、振分手段１７５ｂ，１７６ｃ，１７６ｄを構成する振分突起１８１ｄ〜１８１ｆ及び振分面１８６ｂ，１８７ｃ，１８７ｄと、振り分けられた玉を第３転動部１６９へ排出させるための排出部経路１８４ｄ〜１８４ｆと、振り分けられた玉を下流側へ導くための入賞経路１８３ｂ及び次段階経路１８５ｃ，１８５ｄと、排出部経路１８４ｄ〜１８４ｆ側に振り分けられた玉が排出部経路１８４ｄ〜１８４ｆの下流端以外の位置から排出されることを抑止するための排出抑止壁１７２ｄ〜１７２ｆと、が形成されている。
【００５２】
なお、前記排出部経路１８４ａ〜１８４ｆが、玉を第１転動部１９１及び第２転動部１９２から排出する経路を構成するものであり、前記入賞経路１８３ａ，１８３ｂが、誘導部１７３を構成するものであり、前記次段階経路１８５ａ〜１８５ｄが、玉を下流側の振分段階１７５ａ，１７５ｂ，１７６ａ，１７６ｃへ誘導する経路を構成するものである。
【００５３】
上記したように、第１転動部１９１に形成される振分手段１７５ａ，１７６ａ，１７６ｂと第２転動部１９２に形成される振分手段１７５ｂ，１７６ｃ，１７６ｄとは、互いに異なる形状に形成されるものであるが、基本的な形状及び構成は同じであるため、第１転動部１９１（図では、左側）を例に基本的な形状及び構成について説明する。
【００５４】
第１転動部１９１における振分手段１７５ａ，１７６ａ，１７６ｂ等は、図５に示すように、中間部材１６４の左側方から中心に向かって段階的に形成されている。まず、中間部材１６４の左側方には、誘導通路出口１８０ｂから排出された玉が転動する通常振分面１８７ｂが形成されている。通常振分面１８７ｂは、下方に湾曲した円弧状に形成されており、中間部材１６４の幅全体に亘って形成されるものである。また、通常振分面１８７ｂは、装飾部材１６１の中心側に向けて下り傾斜して形成されている。
【００５５】
通常振分面１８７ｂの下流端の下方には、通常振分面１８７ｂから落下してきた玉を振り分けるための振分突起１８１ｃが形成されている。この振分突起１８１ｃからは、振分突起１８１ｃによって振り分けられた玉が転動する排出部経路１８４ｃが手前側に向けて下り傾斜して形成されている。また、振分突起１８１ｃを挟んで排出部経路１８４ｃの反対側には、次段階経路１８５ｂが形成されている。この次段階経路１８５ｂは、振分突起１８１ｃから奥側に向けて下り傾斜して形成される部分と装飾部材１６１の中心側に向けて下り傾斜して形成される部分とから構成されている。また、排出部経路１８４ｃの通常振分面１８７ｂと反対側の端部には、排出部経路１８４ｃ側に振り分けられた玉が排出部経路１８４ｃの下流端以外から排出されることを抑止するための排出抑止壁１７２ｃが形成されている。このように、通常振分面１８７ｂの次の段階は、振分突起１８１ｃ，排出部経路１８４ｃ，次段階経路１８５ｂ及び排出抑止壁１７２ｃによって構成されて、通常振分面１８７ｂから落下してきた玉が排出部経路１８４ｃあるいは次段階経路１８５ｂへ振り分けられることとなる。なお、振分突起１８１ｃと通常振分面１８７ｂとで通常振分手段１７６ｂを形成している。
【００５６】
次の段階には、次段階経路１８５ｂから落下してくる玉が転動する通常振分面１８７ａが形成されている。通常振分面１８７ａは、通常振分面１８７ｂと同様、下方に湾曲した円弧状に、装飾部材１６１の中心側に向けて下り傾斜して形成されるものであるが、その幅寸法が上流側から下流側にかけて徐々に小さくなっている点が通常振分面１８７ｂと相違している。
【００５７】
通常振分面１８７ａの次の段階には、振分突起１８１ｂ，排出部経路１８４ｂ，次段階経路１８５ａ及び排出抑止壁１７２ｂによって構成される部分が形成されているが、これは、前述した、振分突起１８１ｃ，排出部経路１８４ｃ，次段階経路１８５ｂ及び排出抑止壁１７２ｃによって構成される部分とほぼ同じ構成である。なお、振分突起１８１ｂと通常振分面１８７ａとで通常振分手段１７６ａを形成している。
【００５８】
次の段階には、次段階経路１８５ａから落下してくる玉が転動する特定振分面１８６ａが形成されているが、この特定振分面１８６ａの形状は、前述した、通常振分面１８７ａの形状とほぼ同じ形状である。
【００５９】
特定振分面１８６ａの次の段階には、振分突起１８１ａ，排出部経路１８４ａ，入賞経路１８３ａ及び排出抑止壁１７２ａによって構成される部分が形成されているが、これは、前述した、振分突起１８１ｂ，排出部経路１８４ｂ，次段階経路１８５ａ及び排出抑止壁１７２ｂによって構成される部分とほぼ同じ構成である。なお、振分突起１８１ａと特定振分面１８６ａとで特別振分手段１７５ａを形成している。
【００６０】
次の段階、即ち、中間部材１６４の中心であって、もっとも下流側の位置には、入賞経路１８３から落下してくる玉が転動する誘導部１７３が形成されている。この誘導部１７３は、下方に湾曲した円弧状に形成されており、また、奥側から手前側に向けて下り傾斜して形成されている。誘導部１７３は、可変入賞球装置５８の上方に位置しており、誘導部１７３を転動した玉は、可変入賞球装置５８に向けてほぼ真下に排出される。このため、誘導部１７３に到達した玉は、可変入賞球装置５８に入賞する可能性が高いものである。
【００６１】
第１転動部１９１及び誘導部１７３は、上記したような構成で形成されており、第２転動部１９２も第１転動部１９１と基本的には同様の構成であるが、振分手段１７５ａ，１７６ａ，１７６ｂと１７５ｂ，１７６，１７６ｄとの間で形状に若干の相違がある。この第１転動部１９１の振分手段１７５ａ，１７６ａ，１７６ｂと第２転動部１９２の振分手段１７５ｂ，１７６ｃ，１７６ｄとの相違は、例えば、図９において、第１転動部１９１の振分手段１７５ａ，１７６ａ，１７６ｂは、（Ｃ）で示すように、振分突起１８１ａ〜１８１ｃが振分面１８６ａ，１８７ａ，１８７ｂの中心よりも入賞経路１８３ａあるいは次段階経路１８５ａ，１８５ｂ側に寄っているのに対し、第２転動部１９２の振分手段１７５ｂ，１７６ｃ，１７６ｄは、（Ｂ）で示すように、振分突起１８１ｄ〜１８１ｆが振分面１８６ｂ，１８７ｃ，１８７ｄの中心よりも排出経路１８４ｄ〜１８１ｆ側に寄っている。即ち、第１転動部１９１に比べて第２転動部１９２の方が入賞経路１８３ｂあるいは次段階経路１８５ａ，１８５ｂに玉が誘導され易くなっており、従って、玉が誘導部１７３に到達し易く、普通可変入賞球装置５８に入賞し易くなっている。なお、（Ａ）は、振分突起１８１ａ〜１８１ｆがほぼ振分面１８６ａ，１８６ｂ，１８７ａ〜ｄの中心線上に位置する場合である。
【００６２】
また、例えば、図１０において、第１転動部１９１の振分手段１７５ａ，１７６ａ，１７６ｂは、（Ｃ）で示すように、振分面１８６ａ，１８７ａ，１８７ｂが振分突起１８１ａ〜１８１ｃよりも排出経路１８４ａ〜１８４ｃ側に寄っているのに対し、第２転動部１９２の振分手段１７５ｂ，１７６ｃ，１７６ｄは、（Ｂ）で示すように、振分面１８６ｂ，１８７ｃ，１８７ｄが振分突起１８１ｄ〜１８１ｆよりも入賞経路１８３ｂあるいは次段階経路１８５ａ，１８５ｂ側に寄っている。即ち、図９の場合と同様、第１転動部１９１に比べて第２転動部１９２の方が入賞経路１８３ｂあるいは次段階経路１８５ａ，１８５ｂに玉が誘導され易くなっており、従って、玉が誘導部１７３に到達し易く、普通可変入賞球装置５８に入賞し易くなっている。なお、（Ａ）は、図９の場合と同様、振分突起１８１ａ〜１８１ｆがほぼ振分面１８６ａ，１８６ｂ，１８７ａ〜ｄの中心線上に位置する場合である。
【００６３】
更に、例えば、図１１において、第１転動部１９１の振分手段１７５ａ，１７６ａ，１７６ｂは、（Ｂ）で示すように、振分面１８６ａ，１８７ａ，１８７ｂの振分突起１８１ａ〜１８１ｃから排出部経路１８４ａ〜１８４ｃ側の曲面が、振分突起１８１ａ〜１８１ｃから入賞経路１８３ａあるいは次段階経路１８５ａ，１８５ｂ側の曲面よりもなだらかに形成されている。また、第２転動部１９２の振分手段１７５ｂ，１７６ｃ，１７６ｄは、（Ｃ）で示すように、振分面１８６ｂ，１８７ｃ，１８７ｄの振分突起１８１ｄ〜１８１ｆから入賞経路１８３ｂあるいは次段階経路１８５ａ，１８５ｂ側の曲面が、振分突起１８１ｄ〜１８１ｆから排出部経路１８４ｄ〜１８４ｆ側の曲面よりもなだらかに形成されている。即ち、図９，図１０の場合と同様、第１転動部１９１に比べて第２転動部１９２の方が入賞経路１８３ｂあるいは次段階経路１８５ａ，１８５ｂに玉が誘導され易くなっており、従って、玉が誘導部１７３に到達し易く、普通可変入賞球装置５８に入賞し易くなっている。なお、（Ａ）は、振分面１８６ａ，１８６ｂ，１８７ａ〜ｄ全体が同じ曲面で形成されている場合である。
【００６４】
上記したように、第１転動部１９１の振分手段１７５ａ，１７６ａ，１７６ｂと第２転動部１９２の振分手段１７５ｂ，１７６ｃ，１７６ｄとでは、その形状が異なることにより、玉が前記第１転動部１９１又は第２転動部１９２のいずれを転動するかに応じて前記誘導部１７３への到達率が異なる。このため、第１転動部１９１と第２転動部１９２とで玉の動きを変えることができると共に、第１転動部１９２と第２転動部１９２のいずれに玉が誘導されたかによって、遊技者は、玉が誘導部１７３へ到達するか否かの過程を楽しむことができる。
【００６５】
なお、第１転動部１９１に形成される振分手段１７５ａ，１７６ａ，１７６ｂあるいは第２転動部１９２に形成される振分手段１７５ｂ，１７６ｃ，１７６ｄのすべてが、上記した（Ｂ）あるいは（Ｃ）で示した形状のものであるものばかりでなく、振分手段１７５ａ，１７５ｂ，１７６ａ〜１７６ｄの一部が（Ｂ）あるいは（Ｃ）で示した形状でその他は（Ａ）の形状で構成されている等、全体として第１転動部１９１に比べて第２転動部１９２の入賞率が高くなるように形成されていればよい。
【００６６】
また、図９乃至図１１に示した種々の形状の振分手段１７５ａ，１７５ｂ，１７６ａ〜１７６ｄを組み合わせ、全体として第１転動部１９１に比べて第２転動部１９２の入賞率が高くなるように形成されているものであってもよい。
【００６７】
更に、第２転動部１９２に比べて第１転動部１９１の入賞率が高くなるように形成されているものであってもよい。また、振り分け手段１７５ａ，１７５ｂ，１７６ａ〜１７６ｄの形状は、図示された形状に限定されるものではなく、排出部経路１８４ａ〜１８４ｆあるいは、入賞経路１８３ａ，１８３ｂ、次段階経路１８５ａ〜１８５ｄへの誘導率が変化するものであれば、他の形状であっても良い。
【００６８】
上記のように、振分手段１７５ａ，１７５ｂ，１７６ａ〜１７６ｄの形状の違いを、一見して同じような形状をしているにもかかわらず、実際に遊技を行なうことにより、一方の転動部が他方の転動部よりも誘導部１７３への到達率が高いことが分かるため、遊技の興趣を向上させることができる。
【００６９】
枠部材１６５は、そのほぼ中央に画像表示面１６０とほぼ同一寸法の開口部を有すると共に、その下方には、特別図柄始動記憶ＬＥＤ４６が発光する光を透光するＬＥＤ穴１８２（図６参照）が複数（図示の場合、４箇所）穿設されている。このＬＥＤ穴１８２の左側方には、振分手段１７６ａ，１７６ｂで次段階経路１８５ａ，１８５ｂに振り分けられた玉を下流側に導く経路の一部を構成する玉導出規制部１７４ａ，１７４ｂ（図６参照）が、右側方には、振分手段１７６ｃ，１７６ｄ（図７参照）で次段階経路１８５ｃ，１８５ｄ（図７参照）に振り分けられた玉を下流側に導く経路の一部を構成する玉導出規制部１７４ｃ（図６参照），１７４ｄ（図示しない）が手前側に向けて突設されている。玉導出規制部１７４ａ，１７４ｃは、ＬＥＤ穴１８２の側方近傍に突設され、玉導出規制部１７４ｂ，１７４ｄは、玉導出規制部１７４ａ，１７４ｃよりもやや高い位置で、上流側の位置に突設されている。
【００７０】
通路基体１６６ａは、玉を第２転動部１９２へ誘導する誘導通路１７８ａの一側壁を形成するものであり、通路基体１６６ｃ（図示しない）は、玉を第１転動部１９１へ誘導する誘導通路１７８ｂの一側壁を形成するものである。第２転動部１９２へ玉を誘導する誘導通路１７８ａを形成する通路基体１６６ａは、装飾部材１６１の上方中心から右側方にかけて位置すると共に、その下流端が後述する通路基体１６６ａの誘導通路出口１８０ａに臨んでいる。また、第１転動部１９１へ玉を誘導する誘導通路１７８ｂを形成する通路基体１６６ｃは、装飾部材１６１の左側方に位置すると共に、その下流端が後述する通路枠１６６ｄの誘導通路出口１８０ｂに臨んでいる。また、誘導通路１７８ａを形成する通路基体１６６ａの上流端には、遊技領域４１を流下する玉を誘導通路１７８ａに誘導するための導入口１７９ａが形成されている。
【００７１】
通路枠１６６ｂは、誘導通路１７８ａの他側壁を形成するものであり、通路枠１６６ｄは、誘導通路１７８ｂの他側壁を形成するものである。第２転動部１９２へ玉を誘導する誘導通路１７８ａを形成する通路枠１６６ｂは、装飾部材１６１の右側方に位置すると共に、その下流端が玉を排出するための誘導通路出口１８０ａとして形成され、この誘導通路出口１８０ａは、第２転動部１９２の通常振分面１８７ｄに臨んでいる。また、第１転動部１９１へ玉を誘導する誘導通路１７８ｂを形成する通路枠１６６ｄは、装飾部材１６１の左側方に位置すると共に、その下流端が玉を排出するための誘導通路出口１８０ｂとして形成され、この誘導通路出口１８０ｂは、第１転動部１９１の通常振分面１８７ｂに臨んでいる。また、誘導通路１７８ｂを形成する通路枠１６６ｄの前面側には、遊技領域４１を流下する玉を誘導通路１７８ｂに誘導するための導入口１７９ｂが形成されている。
【００７２】
しかして、装飾部材１６１は、取付基板１６３の裏面側に中間部材１６４を、この中間部材１６４の裏面側に枠部材１６５をそれぞれビス（図示しない）によって取り付けることにより組み立てられる。このとき、枠部材１６５の上方から右側方にかけて通路基体１６６ａ及び通路枠１６６ｂを、枠部材１６５の左側方に通路基体１６６ｃ及び通路枠１６６ｄをそれぞれビス（図示しない）によって取り付けることにより、装飾部材１６１の上方から右側方にかけて誘導通路１７８ａが、左側方に誘導通路１７８ｂが形成される。このようにして形成された誘導通路１７８ａの上流端に設けられた導入口１７９ａは、誘導通路１７８ｂの上流端に設けられた導入口１７９ｂよりも上方に設けられることとなる。
【００７３】
上記のように組み立てられた装飾部材１６１は、取付基板１６３の取付穴１６８に挿通したビス（図示しない）を遊技盤４０の表面に穿設された取付穴（図示しない）に螺着することにより、遊技盤４０に取り付けられる。なお、上記した誘導通路１７８ａ，１７８ｂは、装飾部材１６１内部に形成されており、誘導通路１７８，１７８ｂ内の玉が視認できないものであるが、このようなものに限らず、玉を視認することができる位置に形成されるものや、透明な材質で構成されることにより、玉を視認できるようなものであってもよい。
【００７４】
上記のようにして取り付けられた装飾部材１６１において、中間部材１６４の横方向中央に形成された誘導部１７３は、取付基板１６３の第３転動部１６９に形成された玉放出部１７０及び副転動部１９０の奥側に位置する。また、排出部経路１８４ａ〜１８４ｆは、第３転動部１６９の曲面に沿って、側方から中央に向けて段階的に低くなる位置で第３転動部１６９の奥側に位置することとなる。また、振分手段のうち、最も下流側に設けられると共に、玉を誘導部１７３又は排出部経路１８４ａ，１８４ｂに振り分ける振分手段が特定振分手段１７５ａ，１７５ｂであり、玉を次段階経路１８５ａ〜１８５ｄ又は排出経路１８４ｂ，１８４ｃ，１８４ｅ，１８４ｆに振り分ける振分手段が通常振分手段１７６ａ〜１７６ｄである。これらの振分手段１７５ａ，１７６ａ，１７６ｂと振分手段１７５ｂ，１７６ｃ，１７６ｄとは、装飾部材１６１の縦方向の中心線を挟んで左右対称に設けられている。
【００７５】
また、枠部材１６５の表面側に突設された前記玉導出規制部１７４ａ，１７４ｃは、特定振分面１８６ａ，１８６ｂの上方に、前記玉導出規制部１７４ｂ，１７４ｄは、通常振分面１８７ａ，１８７ｃの上方にそれぞれ位置することとなる。なお、もっとも上流側に位置する通常振分面１８７ｂの上方には、玉導出規制部１７４は存在しない。
【００７６】
上記のようにして、装飾部材１６１の両側方に位置する通常振分面１８７ｂ，１８７ｄが最も上流側に位置し、装飾部材１６１の中心側に位置する特定振分面１８６ａ，１８６ｂが最も下流側に位置するように段階的に且つ装飾部材１６１の縦方向の中心線を挟んで左右対称に設けられ、玉が下流側に向かうに従ってより入賞の確率が高くなる構成となっているため、遊技者は、玉の位置により入賞の確率の程度を視覚的に容易に判断することができる。
【００７７】
次に、上記のようにして構成された装飾部材１６１に受け入れられた玉の動きについて説明する。遊技領域４１を流下して装飾部材１６１の導入口１７９ａに受け入れられた玉は、図６に示すように、通路基体１６６ａ及び通路枠１６６ｂにより形成された誘導通路１７８ａ内を蛇行しながら流下する。このように誘導通路１７８ａ内を蛇行しながら流下するため、玉の勢いが弱められながら誘導通路１７８ａを流下することとなる。誘導通路１７８ａを流下した玉は、誘導通路出口１８０ａから通常振分面１８７ｄに向けて排出される。
【００７８】
一方、遊技領域４１を流下して装飾部材１６１の導入口１７９ｂに受け入れられた玉は、図６に示すように、通路基体１６６ｂ及び通路枠１６６ｄにより形成された誘導通路１７８ｂ内を蛇行しながら流下する。このように誘導通路１７８ｂ内を蛇行しながら流下するため、玉の勢いが弱められながら誘導通路１７８ｂを流下することとなる。誘導通路１７８ｂを流下した玉は、誘導通路出口１８０ｂから通常振分面１８７ｂに向けて排出される。
【００７９】
誘導通路出口１８０ａあるいは誘導通路出口１８０ｂから通常振分面１８７ｂあるいは通常振分面１８７ｄに向けて排出された玉は、振分手段１７５ａ，１７６ａ，１７６ｂあるいは振分手段１７５ｂ，１７６ｃ，１７６ｄによって振り分けられながら第１転動部１９１あるいは第２転動部１９２を転動して行くが、その振り分けの動作は、第１転動部１９１と第２転動部１９２とでほぼ同様であるため、第１転動部１９１について図８を参照して説明する。
【００８０】
通常振分面１８７ｂに排出された玉は、通常振分面１８７ｂを転動した後に振分突起１８１ｃ上に導かれ、振分突起１８１ｃ上で排出部経路１８４ｃあるいは次段階経路１８５ｂのいずれかに振り分けられることとなる。なお、玉が通常振分面１８７ｂを転動した後に振分突起１８１ｃ上に導かれることなく、排出部経路１８４ｃあるいは次段階経路１８５ｂに直接振り分けられる場合がある。
【００８１】
排出部経路１８４ｃに振り分けられた玉は、手前側に移動した後に排出部経路１８４ｃの下流端から第３転動部１６９の高い位置に排出されることとなる。このとき、排出部経路１８４ｃの通常振分面１８７ｂと反対側の端部には、排出抑止壁１７２ｃが形成されているため、排出部経路１８４ｃ側に振り分けられた玉が排出部経路１８４ｃの下流端以外から排出されることを抑止することができる。
【００８２】
排出部経路１８４ｃから第３転動部１６９に排出された玉は、第３転動部１６９上を左右に大きく転動した後に玉放出部１７０から普通可変入賞球装置５８に向けて排出される。このように、第３転動部１６９を大きく転動する玉が装飾部材１６１の下方に排出される際には、装飾部材１６１の真下に落下することがなく、転動の勢いによって大きく右側あるいは左側に向けて排出されることとなる。従って、普通可変入賞球装置５８に入賞する確率は、非常に低いものとなる。
【００８３】
一方、次段階経路１８５ｂに振り分けられた玉は、通常振分手段１７６ａの通常振分面１８７ａ上に導かれる。このとき、前述のように、通常振分面１８７ａの上方には、玉導出規制部１７４ｂが形成されているため、通常振分手段１７６ｂによって次段階経路１８５ｂに向けて振り分けられた玉は、確実に通常振分面１８７ａに誘導される。通常振分面１８７ａ上に導かれた玉は、最初の通常振分手段１７６ｂと同様、通常振分面１８７ａを転動した後に振分突起１８１ｂ上に導かれ、振分突起１８１ｂ上で排出部経路１８４ｂあるいは次段階経路１８５ａの左右いずれかに振り分けられることとなる。この場合も同様に、玉が通常振分面１８７ａを転動した後に振分突起１８１ｂ上に導かれることなく、排出部経路１８４ｂあるいは次段階経路１８５ａに直接振り分けられる場合がある。
【００８４】
排出部経路１８４ｂに振り分けられた玉は、手前側に移動した後に排出部経路１８４ｂの下流端から第３転動部１６９に排出されることとなるが、排出される位置は、排出経路１８４ｃから第３転動部１６９に排出される位置よりもやや低い位置である。このとき、排出部経路１８４ｂの通常振分面１８７ｂと反対側の端部には、排出抑止壁１７２ｂが形成されているため、排出部経路１８４ｂ側に振り分けられた玉が排出部経路１８４ｂの下流端以外から排出されることを抑止することができる。
【００８５】
排出部経路１８４ｂから第３転動部１６９に排出された玉は、排出部経路１８４ｃから排出された玉の転動の振幅よりもやや小さい振幅で第３転動部１６９上を転動した後に玉放出部１７０から普通可変入賞球装置５８に向けて排出される。この場合にも、第３転動部１６９を転動する玉が装飾部材１６１の下方に排出される際には、装飾部材１６１の真下に落下することがなく、転動の勢いによって右側あるいは左側に向けて排出されることとなり、普通可変入賞球装置５８に入賞する確率も低いものであるが、排出部経路１８４ｃから排出された玉ほど低くはない。
【００８６】
一方、次段階経路１８５ａに振り分けられた玉は、特定振分手段１７５ａの特定振分面１８６ａ上に導かれる。このとき、前述のように、特定振分面１８６ａの上方には、玉導出規制部１７４ａが形成されているため、通常振分手段１７６ａによって次段階経路１８５ａに向けて振り分けられた玉は、確実に特定振分面１８６ａに誘導される。特定振分面１８６ａ上に導かれた玉は、通常振分手段１７６ａと同様、特定振分面１８６ａを転動した後に振分突起１８１ａ上に導かれ、振分突起１８１ａ上で排出部経路１８４ａあるいは入賞経路１８３ａのいずれかに振り分けられることとなる。この場合も同様に、玉が特定振分面１８６ａを転動した後に振分突起１８１ａ上に導かれることなく、排出部経路１８４ａあるいは入賞経路１８３ａに直接振り分けられる場合がある。
【００８７】
排出部経路１８４ａに振り分けられた玉は、手前側に移動した後に排出部経路１８４ａの下流端から第３転動部１６９に排出されることとなるが、排出される位置は、排出経路１８４ｂから第３転動部１６９に排出される位置よりもやや低い位置である。このとき、排出部経路１８４ａの特定振分面１８６と反対側の端部には、排出抑止壁１７２ａが形成されているため、排出部経路１８４ａ側に振り分けられた玉が排出部経路１８４ａの下流端以外から排出されることを抑止することができる。
【００８８】
排出部経路１８４ａから第３転動部１６９に排出された玉は、排出部経路１８４ｂから排出された玉の転動の振幅よりもやや小さい振幅で第３転動部１６９上を転動した後に玉放出部１７０から普通可変入賞球装置５８に向けて排出される。この場合にも、第３転動部１６９を転動する玉が装飾部材１６１の下方に排出される際には、装飾部材１６１の真下に落下することがなく、転動の勢いによって右側あるいは左側に向けて排出されることとなり、普通可変入賞球装置５８に入賞する確率も低いものであるが、排出部経路１８４ｂから排出された玉ほど低くはない。
【００８９】
一方、入賞経路１８３ａから誘導部１７３へ到達した玉は、誘導部１７３を転動した後に副転動部１９０に導出される。副転動部１９０に導出された玉は、左右方向に転動することがないように玉放出部１７０から装飾部材１６１のほぼ真下に排出される。このように、装飾部材１６１のほぼ真下に落下するため、普通可変入賞球装置５８に入賞する確率が高いものである。このように、最も入賞の可能性の高い特定振分手段１７５ａが最も下流側に設けられているため、玉が入賞するまでの過程を遊技者がより長く楽しむことができ、遊技の興趣を向上させることができる。
【００９０】
上記のように、第１転動部１９１において玉の振り分けの動作が行なわれ、第２転動部１９２においても同様に玉の振り分けが行なわれるが、第１転動部１９１と第２転動部１９２とでは、前述したように、振分手段１７５，１７６ａ，１７６ｂの形状が異なっている。第２転動部１９２における振分手段１７５ｂ，１７６ｃ，１７６ｄの方が下流側、即ち、誘導部１７３へ到達しやすい形状であるため、第２転動部１９２を転動する玉が第１転動部１９１を転動する玉よりも誘導部１７３へ到達する確率が高くなっている。従って、入賞する確率も高くなっている。しかし、第１転動部１９１を転動する玉であっても、確率が低いながらも誘導部１７３へ到達する可能性が残されているため、遊技者は、到達率が低い第１転動部１９１に誘導された玉に対しても入賞の期待をもつことができ、遊技の興趣を向上させることができる。
【００９１】
なお、第１転動部１９１を転動する玉は、誘導部１７３を越えて第２転動部１９２まで転動することはなく、同様に、第２転動部１９２を転動する玉は、誘導部１７３を越えて第１転動部１９１まで転動することはない。従って、第１転動部１９１を転動する玉と第２転動部１９２を転動する玉は、誘導部１７３内以外では、互いに干渉することがない。このため、第１転動部１９１及び第２転動部１９２を転動する玉の誘導部１７３への到達率は、互いに第１転動部１９１及び第２転動部１９２を転動する玉に影響を受けることがなく、遊技の興趣を削ぐことがない。
【００９２】
また、上記したように、誘導部１７３への玉の到達率が高い第２転動部１９２へ玉を誘導する誘導通路１７８ａの導入口１７９ａが、到達率の低い第１転動部１９１へ玉を誘導する誘導通路１７８ｂの導入口１７９ｂよりも上方位置にしている。このため、たとえ上方に位置する導入口に玉が受け入れられなくても、その他の導入口に玉が受け入れられる可能性があるため、遊技者は、上方に位置する導入口に玉が受け入れられなかった玉に対しても装飾部材１６１への受け入れ、ひいては、普通可変入賞球装置５８への入賞の期待を持つことができる。また、たとえ誘導部１７３への到達率が高い導入口に受け入れられなくても、下方には、その到達率が低いながらも誘導部１７３へ到達する可能性のある導入口があるため、遊技者は、積極的に誘導部１７３への到達率が高い導入口へ入球を狙う楽しさを充分に味わうことができる。
【００９３】
また、上記したように、誘導部１７３へ到達することなく第１転動部１９１又は第２転動部１９２から排出された玉は、第３転動部１６９で左右に転動するため、普通可変入賞球装置５８に向けて排出される際に左右方向に大きく寄ってしまうため、普通可変入賞球装置５８への入賞の確率が低いが、確率が低いながらも入賞の可能性が残されているため、遊技者は、これらの玉に対しても入賞の期待を持つことができ、遊技の興趣を向上させることができる。
【００９４】
また、上記のように、玉を第１転動部１９１及び第２転動部１９２から排出する排出部経路１８４ａ〜１８４ｆは、玉を遊技領域４１前面側に向けて移動させて第１転動部１９１又は第２転動部１９２から排出し、玉を誘導部１７３又は次段階の振分手段１７５ａ，１７５ｂ，１７６ａ〜１７６ｄへ誘導する入賞経路１８３ａ，１８３ｂ又は次段階経路１８５ａ〜１８５ｄは、玉を遊技領域４１裏面側に向けて移動させてそれぞれ誘導部１７３又は次段階の振分手段１７５ａ，１７５ｂ，１７６ａ〜１７６ｄに誘導するため、玉を遊技領域４１前面側にのみあるいは、裏面側にのみ順次振り分ける構造のように奥行方向に広い場所を必要とせず、振分手段１７５ａ，１７５ｂ，１７６ａ〜１７６ｄの構造の省スペース化を図ることができる。
【００９５】
また、振分手段１７５ａ，１７５ｂ，１７６ａ〜１７６ｄで上記したような玉の動きをするため、玉が排出される段階によって入賞口への入賞の確率が変わるため、遊技者は、玉がどの段階まで誘導されるかの期待を持って遊技を楽しむことができる。
【００９６】
上記した実施形態においては、第１転動部１９１及び第２転動部１９２にそれぞれ、特定振分手段１７５ａ，１７５ｂが１箇所、通常振分手段１７６ａ〜１７６ｄが２箇所形成されているものを示したが、第１転動部１９１及び第２転動部１９２に少なくとも振分手段が１箇所ずつ形成されて第１転動部１９１と第２転動部１９２とで誘導部１７３への到達率が異なるものであれば何箇所形成されていてもよい。例えば、図１２に示すように、第１転動部１９１には、特定振分手段１７５ａ及び通常振分手段１７６ａがそれぞれ１箇所ずつ形成され、第２転動部１９２には、特定振分手段１７５ｂが１箇所、通常振分手段１７６ｃ，１７６ｄが２箇所形成されているようなものであってもよい。
【００９７】
また、例えば、第１転動部１９１には、振分段階が３段階形成され、第２転動部１９２には、振分手段が２段階形成されているものとし、一見して２段形成されている方が誘導部１７３への到達率が高く見えても、実際には３段形成されている方の振分手段が到達率が高くなるように形成してもよい。こうすることにより、実際に遊技を行なわないと到達率の高低が分からないため、遊技の興趣を向上させることができる。
【００９８】
また、第１転動部１９１には、図９の（Ａ）に示す形状の振分手段を３段階形成し、第２転動部１９２には、図９の（Ａ）に示す形状の振分段階を２段階形成し、振分回数が異なることにより、第１転動部１９１と第２転動部１９２との誘導部１７３への誘導率を異ならせるようにしてもよい。なお、振分手段の個数と形状の違いを様々に組み合わせることにより、第１転動部１９１と第２転動部１９２との誘導部１７３への到達率を異ならせるようにしてもよい。
【００９９】
上記した実施形態（以下、第１実施形態という）においては、特定振分面１８６ａ，１８６ｂ及び通常振分面１８７ａ〜１８７ｄ上で玉が奥行方向に転動するものを示したが、このようなものに限らず、玉が左右方向に転動するように特定振分面１８６ａ，１８６ｂ及び通常振分面１８７ａ〜１８７ｄが形成されるものであってもよい。このような実施形態（以下、第２実施形態という）について第１実施形態と相違する部分を中心に図１３乃至図１５を参照して説明する。図１３は、第２実施形態にかかる装飾部材１６１の斜視図であり、図１４は、第２実施形態にかかる装飾部材１６１の転動部の周辺の平面図であり、図１５は、第２実施形態に係る装飾部材１６１の転動部での玉の動きを示す平面図である。なお、第１実施形態と同一の機能を有する部品には、同じ符号を付した。また、図１３については、第２転動部１９２の詳細な符号は省略してあるため、第２転動部１９２の詳細な符号については、図１４等を参照のこと。
【０１００】
第２実施形態に係る装飾部材１６１は、図１３に示すように、第１実施形態に係る装飾部材１６１と同様、取付基板１６３と、中間部材１６４と、枠部材１６５と、通路基体１６６ａ，１６６ｃ（図示しない）と、通路枠１６６ｂ，１６６ｄと、を備えている。
【０１０１】
第２実施形態における取付基板１６３は、第１実施形態における取付基板１６３と同様、窓枠部１６２の前側を構成する枠開口部１８９と、該枠開口部１８９の前端側の全周に亘って形成されたフランジ部１６７と、を備えた額縁形状をなすと共に、その裏面側の下部に第３転動部１６９が裏面側に向かって立設されるものであり、その構造は、第１実施形態における取付基板１６３とほぼ同じである。
【０１０２】
中間部材１６４は、第１実施形態における中間部材１６４と同様、全体として取付基板１６３の第３転動部１６９の曲面に沿うような形状に形成されるものであり、図１４に示すように、その左右方向ほぼ中央に誘導部１７３が形成されると共に、この誘導部１７３を挟んで両側方に第１転動部１９１及び第２転動部１９２が形成されている。
【０１０３】
また、第１実施形態と同様、第１転動部１９１に形成される振分手段１７５ａ，１７６ａ，１７６ｂと第２転動部１９２に形成される振分手段１７５ｂ，１７６ｃ，１７６ｄとは、互いに異なる形状に形成されるものであるが、基本的な形状及び構成は同じであるため、第１転動部１９１（図では、左側）を例に基本的な形状及び構成について説明する。
【０１０４】
第1転動部１９１には、特定振分手段１７５ａ及び通常振分手段１７６ａ，１７６ｂの一部を構成する振分突起１８１ａ〜１８１ｃと、特定振分手段１７５ａ又は通常振分手段１７６ａ，１７６ｂによって振り分けられた玉が誘導される入賞経路１８３ａ，排出部経路１８４ａ〜１８４ｃ及び次段階経路１８５ａ，１８５ｂと、が形成されている。この各経路１８３ａ，１８４ａ，１８４ｂ，１８５ａ，１８５ｂは、図１４に示すように、中間部材１６４の両側方から中心に向かって排出部経路１８４ｃ，次段階経路１８５ｂ，排出部経路１８４ｂ，次段階経路１８５ａ，排出部経路１８４ａ，入賞経路１８３ａの順に形成されている。また、入賞経路１８３ａ及び次段階経路１８５ａ，１８５ｂは、下流側の方向に向けて僅かに下り傾斜して形成されると共に排出部経路１８４ａ〜１８４ｃは、上流側の方向に向けて僅かに下り傾斜して形成されている。そして左右の入賞経路１８３ａ，１８３ｂの間には、誘導部１７３が奥側から手前側に向けて僅かに下り傾斜して形成されている。
【０１０５】
また、排出部経路１８４ｃと次段階経路１８５ｂとの間には、振分突起１８１ｃが、排出部経路１８４ｂと次段階経路１８５ａとの間には、振分突起１８１ｂが、排出部経路１８４ａと入賞経路１８３ａとの間には、振分突起１８１ａが形成されている。第２実施形態における振分突起１８１ａ〜１８１ｃは、図１４の断面Ａ−Ａで示すように、角形状に突設されるものであり、その上面に転動してきた玉が排出部経路１８４ａ〜１８４ｃ又は次段階経路１８５ａ，１８５ｂに、あるいは、入賞経路１８３ａ又は排出部経路１８４ａ〜１８４ｃに振り分けられることとなる。
【０１０６】
また、中間部材１６４の遊技領域４１前面側の端部には、前記排出部経路１８４ａ〜１８４ｃ上の玉を排出するための玉排出部１９３ａ〜１９３ｃが穿設され且つ玉排出部１９３ａ〜１９３ｃ以外の位置から玉が排出されることを抑止するための排出抑止壁１７２が立設されている。このように、排出抑止壁１７２が立設されているため、振分手段１７５ａ，１７６ａ，１７６ｂにより振り分けられる前に振分手段１７５ａ，１７６ａ，１７６ｂから第３転動部１６９に排出されることが抑止され、玉が振分手段に進入しやすくなるため、玉の振り分け態様に遊技者を引き付けることができ、遊技の興趣を向上させることができる。また、排出抑止壁１７２は、遊技領域４１を流下する玉が誘導通路１７８ａ，１７８ｂを介さずに直接振分手段１７５ａ，１７６ａ，１７６ｂに入ってしまうことも抑止することができる。
【０１０７】
なお、図１３に示すように、誘導部１７３は、玉が転動する面として形成されており、玉排出部１９３ａ〜１９３ｃは、排出抑止壁１７２に穿設された穴として形成されるものであるが、誘導部１７３の手前側にも排出抑止壁１７２を立設して、玉排出部１９３ａ〜１９３ｃと同様にこの排出抑止壁１７２に穴を形成したものであっても良い。
【０１０８】
排出抑止壁１７２の裏面上部には、上流側に位置する通常振分手段１７６ａ，１７６ｂで振り分けられた玉が下流側に位置する通常振分手段１７６ａ又は特定振分手段１７５ａに導かれる経路の側壁の一部をなす玉導出規制部１７４ａ，１７４ｂが突設されている。このため、上流側に位置する通常振分手段１７６ａ，１７６ｂによってその下流側に位置する通常振分手段１７６ａ又は特定振分手段１７５ａに向けて振り分けられた玉は、その下流側に位置する通常振分手段１７６ａ又は特定振分手段１７５ａに誘導されるため、下流側に位置する通常振分手段１７６ａ又は特定振分手段１７５ａにおいて適正に玉の振り分けが行われることとなる。
【０１０９】
枠部材１６５は、そのほぼ中央に画像表示面１６０とほぼ同一寸法の開口部を有すると共に、その下方には、前記特別図柄始動記憶ＬＥＤ４６が発光する光を透光するＬＥＤ穴１８２が穿設されている。このＬＥＤ穴１８２の下方前面には、特定振分手段１７５ａ及び通常振分手段１７６ａ，１７６ｂの一部をそれぞれ構成する特定振分面１８６ａ及び通常振分面１８７ａ，１８７ｂと、この特定振分面１８６ａ又は通常振分面１８７ａ，１８７ｂへ玉を誘導するための中間転動面１７７ａ〜１７７ｃが形成されている。振分面１８６ａ，１８７ａ，１８７ｂ及び中間転動面１７７ａ，１７７ｂは、図１３及び図１４に示すように、枠部材１６５の両側方から中心に向かって中間転動面１７７ｃ，通常振分面１８７ｂ，中間転動面１７７ｂ，通常振分面１８７ａ，中間転動面１７７ａ，特定振分面１８６ａの順に形成されている。特定振分面１８６ａ及び通常振分面１８７ａ，１８７ｂは、両側方が高く、下方に湾曲した円弧状に形成されるものであり、遊技領域４１前面側に向けて僅かに下り傾斜している。そして、側方の一方が中間転動面１７７ａ，１７７ｂと連通するものである。この中間転動面１７７ａ，１７７ｂは、下流側に向けて僅かに下り傾斜して形成されるものである。
【０１１０】
通路基体１６６ａは、第１実施形態と同様、玉を第１転動部１９１あるいは第２転動部１９２へ誘導する誘導通路１７８ａ，１７８ｂの一側壁を形成するものである。第２転動部１９２へ玉を誘導する誘導通路１７８ａを形成する通路基体１６６ａは、装飾部材１６１の上方中心から右側方にかけて位置すると共に、その下流端が玉を排出するための誘導通路出口１８０ａとして形成され、この誘導通路出口１８０ａは、第２転動部１９２の中間転動面１７７ｆに臨んでいる。また、第１転動部１９１へ玉を誘導する誘導通路１７８ｂを形成する通路基体１６６ｃ（図示しない）は、装飾部材１６１の左側方に位置すると共に、その下流端が玉を排出するための誘導通路出口１８０ｂとして形成され、この誘導通路出口１８０ｂは、第１転動部１９１の中間転動面１７７ｃにのぞんでいる。また、誘導通路１７８ａを形成する通路基体１６６ａの上流端には、第１実施形態と同様、遊技領域４１を流下する玉を誘導通路１７８ａに誘導するための導入口１７９ａ（図示しない）が形成されている。
【０１１１】
通路枠１６６ｂは、誘導通路１７８ａ，１７８ｂの他側壁を形成するものである。第２転動部１９２へ玉を誘導する誘導通路１７８ａを形成する通路枠１６６ｂは、装飾部材１６１の右側方に位置すると共に、その下流端が誘導通路出口１８０ａに臨んでいる。また、第１転動部１９１へ玉を誘導する誘導通路１７８ｂを形成する通路枠１６６ｄは、装飾部材１６１の左側方に位置すると共に、その下流端が誘導通路出口１８０ｂに臨んでいる。また、誘導通路１７８ｂを形成する通路枠１６６ｄの前面側には、第１実施形態と同様、遊技領域４１を流下する玉を誘導通路１７８ｂに誘導するための導入口１７９ｂ（図示しない）が形成されている。
【０１１２】
しかして、装飾部材１６１は、取付基板１６３の裏面側に中間部材１６４を、この中間部材１６４の裏面側に枠部材１６５をそれぞれビス（図示しない）によって取り付けることにより組み立てられる。このとき、枠部材１６５の上方から右側方にかけて通路基体１６６ａ及び通路枠１６６ｂを、枠部材１６５の左側方に通路基体１６６ｃ及び通路基体１６６ｄをそれぞれビス（図示しない）によって取り付けることにより、装飾部材１６１の上方から右側方にかけて誘導通路１７８ａが、左側方に誘導通路１７８ｂが形成される。このようにして形成された誘導通路１７８ａの上流端に設けられた導入口１７９ａは、誘導通路１７８ｂの上流端に設けられた導入口１７９ｂよりも上方に設けられることとなる。
【０１１３】
上記のように組み立てられた装飾部材１６１は、取付基板１６３の取付穴１６８に挿通したビス（図示しない）を遊技盤４０の表面に穿設された取付穴（図示しない）に螺着することにより、遊技盤４０に取り付けられる。なお、上記した誘導通路１７８ａ，１７８ｂは、装飾部材１６１内部に形成されており、誘導通路１７８ａ，１７８ｂ内の玉が視認できないものであるが、このようなものに限らず、玉を視認することができる位置に形成されるものや、透明な材質で構成されることにより、玉を視認できるようなものであってもよい。
【０１１４】
上記のようにして取り付けられた装飾部材１６１において、中間部材１６４の横方向中央に形成された誘導部１７３は、取付基板１６３の第３転動部１６９に形成された玉放出部１７０及び副転動部１９０の奥側に位置する。また、玉排出部１９３ａ〜１９３ｆは、第３転動部１６９の曲面に沿って、側方から中央に向けて段階的に低くなる位置で第３転動部１６９の奥側に位置することとなる。また、中間部材１６４の振分突起１８１ａ〜１８１ｆは、枠部材１６５の特定振分面１８６ａ，１８６ｂ又は通常振分面１８７ａ〜１８７ｄの下流端に隣接し、特定振分面１８６ａ，１８６ｂ又は通常振分面１８７ａ〜１８７ｄの横方向ほぼ中央に位置することとなる。なお、特定振分面１８６ａと振分突起１８１ａとで特定振分手段１７５ａが構成され、通常振分面１８７ａと振分突起１８１ｂとで通常振分手段１７６ａが、通常振分面１８７ｂと振分突起１８１ｃとで通常振分手段１７６ｂが構成されるものである。また、特定振分面１８６ｂと振分突起１８１ｂとで特定振分手段１７５ｂが構成され、通常振分面１８７ｃと振分突起１８１ｅとで通常振分手段１７６ｃが、通常振分面１８７ｄと振分突起１８１ｆとで通常振分手段１７６ｄが構成されるものである。また、振分手段のうち、最も下流側に設けられると共に、玉を誘導部１７３又は排出部経路１８４ａ，１８４ｂに振り分ける振分手段が特定振分手段１７５ａ，１７５ｂであり、玉を次段階経路１８５ａ〜１８５ｄ又は排出経路１８４ｂ，１８４ｃ，１８４ｅ，１８４ｆに振り分ける振分手段が通常振分手段１７６ａ〜１７６ｄである。
【０１１５】
また、排出抑止壁１７２に突設された玉導出規制部１７４ａは、中間転動面１７７ａと特定振分面１８６ａとの間、即ち、通常振分手段１７６ａと特定振分手段１７５ａとの間に位置し、玉導出規制部１７４ｂは、中間転動面１７７ｂと通常振分面１８７ａとの間、即ち、通常振分手段１７６ｂと通常振分手段１７６ａとの間に位置することとなる。ただし、中間転動面１７７ｃと通常振分面１８７ｂとの間には、玉導出規制部１７４は存在しない。
【０１１６】
また、排出抑止壁１７２に突設された玉導出規制部１７４ｃは、中間転動面１７７ｄと特定振分面１８６ｂとの間、即ち、通常振分手段１７６ｃと特定振分手段１７５ｂとの間に位置し、玉導出規制部１７４ｄは、中間転動面１７７ｅと通常振分面１８７ｃとの間、即ち、通常振分手段１７６ｄと通常振分手段１７６ｃとの間に位置することとなる。ただし、中間転動面１７７ｆと通常振分面１８７ｄとの間には、玉導出規制部１７４は存在しない。
【０１１７】
次に、上記のようにして構成された装飾部材１６１に受け入れられた玉の動きについて説明する。遊技領域４１を流下して装飾部材１６１の導入口１７９ａに受け入れられた玉は、図１３に示すように、通路基体１６６ａ及び通路枠１６６ｂにより形成された誘導通路１７８ａ内を蛇行しながら流下する。このように誘導通路１７８ａ内を蛇行しながら流下するため、玉の勢いが弱められながら誘導通路１７８ａを流下することとなる。誘導通路１７８ａを流下した玉は、誘導通路出口１８０ａから中間転動面１７７ｆに向けて排出される。
【０１１８】
一方、遊技領域４１を流下して装飾部材１６１の導入口１７９ｂに受け入れられた玉は、通路基体１６６ｃ及び通路枠１６６ｄにより形成された誘導通路１７８ｂ内を蛇行しながら流下する。このように誘導通路１７８ｂ内を蛇行しながら流下するため、玉の勢いが弱められながら誘導通路１７８ｂを流下することとなる。誘導通路１７８ｂを流下した玉は、誘導通路出口１８０ｂから中間転動面１７７ｃに向けて排出される。
【０１１９】
誘導通路出口１８０ａあるいは誘導通路出口１８０ｂから中間転動面１７７ｃあるいは中間転動面１７７ｆに向けて排出された玉は、振分手段１７５ａ，１７５ｂ，１７６ａ〜１７６ｄによって振り分けられながら第１転動部１９１あるいは第２転動部１９２を転動して行くが、その振り分けの動作は、第１転動部１９１と第２転動部１９２とでほぼ同様であるため、第１転動部１９１について図１５を参照して説明する。
【０１２０】
中間転動面１７７ｃに排出された玉は、中間転動面１７７ｃを転動した後に通常振分手段１７６ｂの通常振分面１８７ｂ上に導かれる。通常振分面１８７ｂ上に導かれた玉は、通常振分面１８７ｂを転動した後に遊技領域４１前面側に設けられた振分突起１８１ｃ上に導かれ、振分突起１８１ｃ上で排出部経路１８４ｃあるいは次段階経路１８５ｂの左右いずれかに振り分けられることとなる。なお、玉が通常振分面１８７ｂを転動した後に振分突起１８１ｃ上に導かれることなく、排出部経路１８４ｃあるいは次段階経路１８５ｂに直接振り分けられる場合もある。
【０１２１】
排出部経路１８４ｃに振り分けられた玉は、遊技領域４１前面側に移動した後に玉排出部１９３ｃから第３転動部１６９の高い位置に排出されることとなる。一方、次段階経路１８５ｂに振り分けられた玉は、次段階経路１８５ｂから遊技領域裏面側に転動した後に下流側に転動し、中間転動部１７７ｂに導かれることとなる。このとき、前述のように、中間転動面１７７ｂと次段階の通常振分面１８７ａとの間には、通常振分手段１７６ｂで振り分けられた玉が通常振分手段１７６ａの玉排出部１９３ｂに向けて導かれることを防ぐ玉導出規制部１７４ｂが形成されているため、通常振分手段１７６ｂによって次段階経路１８５ｂに振り分けられた玉は、通常振分手段１７６ａに誘導され、通常振分手段１７６ａによって適正に振分動作が行われる。
【０１２２】
玉排出部１９３ｃから第３転動部１６９に排出された玉は、第３転動部１６９上を左右に大きく転動した後に玉放出部１７０から普通可変入賞球装置５８に向けて排出される。このように、第３転動部１６９を大きく転動する玉が装飾部材１６１の下方に排出される際には、装飾部材１６１の真下に落下することがなく、転動の勢いによって大きく右側あるいは左側に向けて排出されることとなる。従って、普通可変入賞球装置５８に入賞する確率は、非常に低いものとなる。
【０１２３】
一方、次段階経路１８５ｂから中間転動部１７７ｂに導かれた玉は、中間転動部１７７ｂを転動した後に通常振分手段１７６ａの通常振分面１８７ａ上に導かれる。通常振分面１８７ａ上に導かれた玉は、通常振分手段１７６ｂと同様、通常振分面１８７ａを転動した後に遊技領域４１前面側に設けられた振分突起１８１ｂ上に導かれ、振分突起１８１ｂ上で排出部経路１８４ｂあるいは次段階経路１８５ａの左右いずれかに振り分けられることとなる。この場合も同様に、玉が通常振分面１８７ａを転動した後に振分突起１８１ｂ上に導かれることなく、排出部経路１８４ｂあるいは次段階経路１８５ａに直接振り分けられる場合がある。
【０１２４】
排出部経路１８４ｂに振り分けられた玉は、玉排出部１９３ｂから第３転動部１６９に排出されることとなるが、排出される位置は、玉排出部１９３ｃから第３転動部１６９に排出される位置よりもやや低い位置である。一方、次段階経路１８５ａに振り分けられた玉は、次段階経路１８５ａから奥側に転動して側方から中間転動部１７７ａに導出されることとなる。
【０１２５】
玉排出部１９３ｂから第３転動部１６９に排出された玉は、玉排出部１９３ｃから排出された玉の転動の振幅よりもやや小さい振幅で第３転動部１６９上を転動した後に玉放出部１７０から普通可変入賞球装置５８に向けて排出される。この場合にも、第３転動部１６９を転動する玉が装飾部材１６１の下方に排出される際には、装飾部材１６１の真下に落下することがなく、転動の勢いによって右側あるいは左側に向けて排出されることとなり、普通可変入賞球装置５８に入賞する確率も低いものであるが、玉排出部１９３ｃから排出された玉ほど低くはない。
【０１２６】
一方、次段階経路１８５ａから中間転動部１７７ａに導かれた玉は、中間転動部１７７ａを転動した後に特定振分手段１７５ａの特定振分面１８６ａ上に導かれる。特定振分面１８６ａ上に導かれた玉は、特定振分面１８６ａを転動した後に遊技領域４１前面側に設けられた振分突起１８１ａ上に導かれ、振分突起１８１ａ上で排出部経路１８４ａあるいは入賞経路１８３ａの左右いずれかに振り分けられることとなる。この場合も同様に、玉が特定振分面１８６ａを転動した後に振分突起１８１ａ上に導かれることなく、排出部経路１８４ａあるいは入賞経路１８３ａに直接振り分けられる場合がある。
【０１２７】
排出部経路１８４ａに振り分けられた玉は、玉排出部１９３ａから第３転動部１６９に排出されることとなるが、排出される位置は、玉排出部１９３ｂから第３転動部１６９に排出される位置よりもやや低い位置である。一方、入賞経路１８３ａに振り分けられた玉は、入賞経路１８３ａから側方に転動して誘導部１７３に導出されることとなる。
【０１２８】
玉排出部１９３ａから第３転動部１６９に排出された玉は、玉排出部１９３ｂから排出された玉の転動の振幅よりもやや小さい振幅で第３転動部１６９上を転動した後に玉放出部１７０から普通可変入賞球装置５８に向けて排出される。この場合にも、第３転動部１６９を転動する玉が装飾部材１６１の下方に排出される際には、装飾部材１６１の真下に落下することがなく、転動の勢いによって右側あるいは左側に向けて排出されることとなり、普通可変入賞球装置５８に入賞する確率も低いものであるが、玉排出部１９３ｂから排出された玉ほど低くはない。
【０１２９】
一方、入賞経路１８３ａから誘導部１７３に導出された玉は、誘導部１７３を転動した後に副転動部１９０に導出される。副転動部１９０に導出された玉は、左右方向に転動することがないように玉放出部１７０から装飾部材１６１のほぼ真下に排出される。このように、装飾部材１６１のほぼ真下に落下するため、普通可変入賞球装置５８に入賞する確率が高いものである。
【０１３０】
上記した第１実施形態及び第２実施形態においては、特定振分手段１７５ａ，１７５ｂ及び通常振分手段１７６ａ〜１７６ｄは、装飾部材１６１の両端部から中心に向けて段階的に低くなるように配置されるものであるが、このようなものに限らず、図１６に示すように、振分手段１７５ａ，１７５ｂ，１７６ａ〜１７６ｄが装飾部材１６１の中心から両端部に向けて段階的に低くなるように配置されているものであってもよい。このような実施形態（以下、第３実施形態という）について説明する。図１６は、第３実施形態に係る装飾部材１６１の正面図である。なお、以下に説明する第３実施形態は、第１実施形態及び第２実施形態のいずれにも適用できるものであるが、以下の説明は、第２実施形態の変形例として第１転動部１９１についてのみ説明する。また、第２実施形態と同一の機能を有する部品には、同じ符号を付した。
【０１３１】
この場合、特定振分手段１７５ａは、最も上流の位置に配置されるものであるため、最初の振り分けの時点で玉が入賞経路１８３ａあるいは次段階経路１８５ａに振り分けられるものである。そして、下流側に進むに従って玉排出部１９３ａ，１９３ｂが中心から遠ざかるため、玉の排出される位置は、徐々に第３転動部１６９のより高い位置となる。このため、第２実施形態とは、まったく逆の構成であり、玉が振り分けの段階を経るに従って普通可変入賞球装置５８への入賞の確率が低くなるものである。この場合、特定振分手段１７５ａの誘導部１７３の形状は、例えば、玉放出部１７０に向けて傾斜状に形成されるものや階段状に形成されるもののように、玉を手前側に誘導できるものであっても良い。また、特定振分手段１７５ａから第３転動部１６９に向けて垂直に落下させるものであっても良い。
【０１３２】
上記した装飾部材１６１の第１実施形態乃至第３実施形態は、その下部であって遊技領域４１前面側に第３転動部１６９を有するものであるが、この第１実施形態乃至第３実施形態から第３転動部１６９を省いたもの、即ち、第３転動部１６９を有しない装飾部材１６１が考えられる。このような第３転動部１６９を有しない装飾部材１６１の実施形態について、図１７及び図１８に示す実施形態（以下、第４実施形態という），図１９に示す実施形態（以下、第５実施形態という）を参照して説明する。図１７は、第４実施形態に係る装飾部材１６１の斜視図であり、図１８は、第４実施形態に係る装飾部材１６１の振分手段１７５ａ，１７５ｂ，１７６ａ〜１７６ｄでの玉動きを示す平面図であり、図１９は、第５実施形態に係る装飾部材１６１の正面図である。なお、以下に説明する第４実施形態及び第５実施形態は、第１実施形態乃至第３実施形態のいずれにも適用できるものであるが、以下の説明は、第４実施形態は、第２実施形態の変形例として説明し、第５実施形態は、第３実施形態の変形例として第１転動部１９１についてのみ説明する。また、第２実施形態、第３実施形態と同一の機能を有する部品には、同じ符号を付した。
【０１３３】
第４実施形態に係る装飾部材１６１は、図１７に示すように、第２実施形態に係る装飾部材１６１から第３転動部１６９，玉放出部１７０，放出防止リブ１７１及び副転動部１９０を除いた以外は、まったく同様の構成であるため、相違する部分のみを説明する。第４実施形態に係る装飾部材１６１においては、取付基板１６３に中間部材１６４の構造及び機能を持たせている。即ち、中間部材１６４の排出抑止壁１７２の下方に、この排出抑止壁１７２を延長するような形でフランジ部１６７を延設して取付基板１６３として形成している。従って、第４実施形態に係る装飾部材１６１の取付基板１６３は、装飾部材１６１を遊技盤４０の表面に取り付ける機能を有すると共に、排出抑止壁１７２，誘導部１７３，玉導出規制部１７４ａ，１７４ｂ，振分突起１８１ａ〜１８１ｃ，入賞経路１８３ａ，排出部経路１８４ａ〜１８４ｃ，次段階経路１８５ａ，１８５ｂ及び玉排出部１９３ａ〜１９３ｃを有するものである。
【０１３４】
次に、上記のようにして構成された装飾部材１６１に受け入れられた玉の動きであるが、第１実施形態乃至第３実施形態に係る装飾部材１６１において、誘導部１７３及び玉排出部１９３ａ〜１９３ｃから排出された玉が第３転動部１６９に落下するのに対し、第４実施形態に係る装飾部材１６１においては、誘導部１７３及び玉排出部１９３ａ〜１９３ｃから排出された玉は、そのまま装飾部材１６１の下方に排出されるものである。この点以外は、まったく同様であるため、相違する点のみ説明する。
【０１３５】
特定振分手段１７５ａによって、誘導部１７３に導出された玉は、誘導部１７３を転動した後に誘導部１７３から装飾部材１６１のほぼ真下に排出される。このように、装飾部材１６１の中央からほぼ真下に落下するため、普通可変入賞球装置５８に入賞する確率が高いものである。
【０１３６】
一方、特定振分手段１７５ａあるいは通常振分手段１７６ａ，１７６ｂによって排出部経路１８４ａ〜１８４ｃに振り分けられた玉は、玉排出部１９３ａ〜１９３ｃから装飾部材１６１の下方に向けて排出されるが、普通可変入賞球装置５８に向けて排出されるものではないため、普通可変入賞球装置５８に入賞する確率が低いものである。
【０１３７】
上記した第４実施形態においては、通常振分手段１７６ａ，１７６ｂ及び特定振分手段１７５ａは、装飾部材１６１の両端部から中心に向けて段階的に低くなるように配置されるものであるが、このようなものに限らず、第３実施形態と同様、図１９に示すように、振分手段１７５ａ，１７６ａ，１７６ｂが装飾部材１６１の中心から両端部に向けて段階的に低くなるように配置されている第５実施形態であってもよい。第５実施形態に係る装飾部材１６１は、第３実施形態に係る装飾部材１６１から第３転動部１６９，玉放出部１７０，放出防止リブ１７１及び副転動部１９０を除いた以外は、まったく同様の構成であるため、相違する部分のみを説明する。
【０１３８】
第５実施形態の場合、特定振分手段１７５ａによって入賞経路１８３ａに振り分けられた玉は、誘導部１７３から装飾部材１６１のほぼ真下に排出される。このように、装飾部材１６１の中央からほぼ真下に落下するため、普通可変入賞球装置５８に入賞する確率が高いものである。
【０１３９】
一方、通常振分手段１７６ａ，１７６ｂによって排出部経路１８４ａ，１８４ｂに振り分けられた玉は、玉排出部１９３ａ，１９３ｂから装飾部材１６１の下方に向けて排出されるが、普通可変入賞球装置５８に向けて排出されるものではないため、普通可変入賞球装置５８に入賞する確率が低いものである。
【０１４０】
上記した第１実施形態乃至第５実施形態においては、第１転動部１９１及び第２転動部１９２に、第１転動部１９１あるいは第２転動部１９２上を転動する玉を誘導部１７３へ誘導する経路と誘導部１７３へ誘導することなく排出する経路とに振り分ける振分手段１７５ａ，１７５ｂ，１７６ａ〜１７６ｄが形成されたものを示したが、このようなものに限らず、図２０乃至図２２に示すように、振分手段１７５ａ，１７５ｂ，１７６ａ〜１７６ｄが形成されていないものであってもよい。このような実施形態（以下、第６実施形態という）について説明する。図２０は、第１転動部１９１に落下誘導面２００が形成された場合の転動部の概略図であり、図２１は、第１転動部１９１に落下誘導面２００が形成され、第２転動部１９２に落下阻止面２０１が形成された場合の転動部の概略図であり、図２２は、第１転動部１９１と第２転動部１９２とで奥行方向の傾斜が異なる場合の転動部の概略図である。なお、第１実施形態乃至第５実施形態と同一の機能を有する部品には、同じ符号を付した。
【０１４１】
図２０において、第１転動部１９１及び第２転動部１９２は、いずれも第１転動部１９１と第２転動部１９２との間に形成される誘導部１７３に向けて下り傾斜すると共に、奥側から手前側に向けても下り傾斜して形成されている。また、第１転動部１９１の上流側の表面には、第１転動部１９１上を転動する玉を落下させ易くするための落下誘導面２００が形成されているが、第２転動部１９２の上面は、平面状に形成されている。なお、落下誘導面２００は、両側方が高く下方に湾曲した円弧状に形成されるものである。
【０１４２】
しかして、第１転動部１９１を転動する玉は、誘導部１７３へ到達する前に落下誘導面２００によって第１転動部１９１の前面側から強制的に排出されることがあるが、平面状に形成された第２転動部１９２では、強制的に排出されることがない。このため、第１転動部１９１を転動する玉は、第２転動部１９２を転動する玉に比べて誘導部１７３へ到達する確率が低いものである。
【０１４３】
図２１において、第１転動部１９１及び第２転動部１９２は、前述と同様、いずれも第１転動部１９１と第２転動部１９２との間に形成される誘導部１７３に向けて下り傾斜すると共に、奥側から手前側に向けても下り傾斜して形成されている。また、第１転動部１９１の上流側の表面には、第１転動部１９１上を転動する玉を落下させ易くするための落下誘導面２００が形成されており、第２転動部１９２の上流側の表面には、第２転動部１９２上を転動する玉が落下し難くするための落下阻止面２０１が形成されている。なお、前述と同様、落下誘導面２００は、両側方が高く下方に湾曲した円弧状に形成されるものであり、落下阻止面２０１は、両側方が低く上方に湾曲した円弧状に形成されるものである。
【０１４４】
しかして、第１転動部１９１を転動する玉は、誘導部１７３へ到達する前に落下誘導面２００によって第１転動部１９１の前面側から強制的に排出されることがあるが、第２転動部１９２を転動する玉は、強制的に排出されることがないばかりでなく、落下阻止面２０１によって第２転動部１９２の外へ排出され難くなっている。このため、第１転動部１９１を転動する玉は、第２転動部１９２を転動する玉に比べて誘導部１７３へ到達する確率が更に低いものである。
【０１４５】
図２２において、第１転動部１９１及び第２転動部１９２は、前述と同様、いずれも第１転動部１９１と第２転動部１９２との間に形成される誘導部１７３に向けて下り傾斜すると共に、奥側から手前側に向けても下り傾斜して形成されている。しかし、第２転動部１９２の奥側から手前側に向けての傾斜は、第１転動部１９１の奥側から手前側に向けての傾斜に比べて急な勾配で形成されている。
【０１４６】
しかして、第２転動部１９２を転動する玉は、誘導部１７３へ到達する前に第２転動部１９２の前面側から排出されやすいが、第１転動部１９１を転動する玉は、第２転動部１９２を転動する玉ほど、第１転動部１９１の前面側から排出されやすくはない。このため、第２転動部１９２を転動する玉は、第１転動部１９１を転動する玉に比べて誘導部１７３へ到達する確率が低いものである。
【０１４７】
なお、上記した第６実施形態においては、第１転動部１９１あるいは第２転動部１９２に落下誘導面２００，落下阻止面２０１を設けたり、第１転動部１９１と第２転動部１９２とで傾斜角度を変えたりすることで、誘導部１７３への到達率を変えるものを示したが、この他にも、誘導部１７３までの距離が第１転動部１９１と第２転動部１９２とで異なっていたり、また、一方の転動部にのみ誘導部１７３へ玉を誘導させ易い誘導溝や突起等が設けられていることにより、誘導部１７３への到達率を変えるもの等であってもよい。
【０１４８】
また、上記した実施形態においては、装飾部材１６１に誘導通路１７８ａ，１７８ｂが備えられたものを示したが、誘導通路１７８ａ，１７８ｂが備えられていないものであってもよい。例えば、装飾部材１６１の側方あるいは上部等に玉の受入口が設けられており、その受入口によって受け入れられた玉が直接転動部上に落下するようなものや、装飾部材１６１の前面側から玉を受け入れるようなものであってもよい。なお、遊技領域４１に設けられた障害釘によって、装飾部材１６１の前面側から玉が受け入れられて転動部上に落下する場合もある。
【０１４９】
以上、装飾部材１６１の詳細な構成について説明してきたが、本実施形態においては、遊技盤４０の遊技領域４１に設けられて変動表示を行い、表示結果を導出する可変表示装置４４の外周部分を装飾する装飾部材１６１を備えた弾球遊技機１において、前記装飾部材１６１の下方の遊技領域４１には、玉が入賞可能な入賞口としての普通可変入賞球装置５８が備えられ、前記装飾部材１６１は、該装飾部材１６１に受け入れられた玉が転動する転動部と、少なくとも該転動部を転動した玉が進入可能であると共に進入した玉を前記入賞口としての普通可変入賞球装置５８へ向けて誘導する誘導部１７３と、を備え、前記転動部は、前記誘導部１７３を挟んで両側方に位置し且つ当該誘導部１７３により転動領域が区切られた第１転動部１９１と第２転動部１９２とを含むと共に、該第１転動部１９１と第２転動部１９２とを、前記誘導部１７３へ向かって転動する玉の経路が互いに異なる形状に形成し、玉が第１転動部１９１又は第２転動部１９２のいずれを転動するかに応じて前記誘導部１７３への到達率を異ならせたため、装飾部材１６１に受け入れられた玉は、第１転動部１９１又は第２転動部１９２のいずれかを転動した後、入賞口としての普通可変入賞球装置５８へ玉を入賞させる確率の高い誘導部１７３へ導かれるが、第１転動部１９１と第２転動部１９２とは、互いに形状が異なることにより、第１転動部１９１を転動する玉と第２転動部１９２を転動する玉とでは、誘導部１７３へ到達する確率が異なる。従って、入賞口としての普通可変入賞球装置５８への入賞確率も第１転動部１９１を転動する玉と第２転動部１９２を転動する玉とでは異なるため、玉が第１転動部１９１と第２転動部１９２のいずれを転動するかに遊技者が期待を持って遊技を行なうことができる。
【０１５０】
また、第１転動部１９１と第２転動部１９２とは、前記誘導部１７３を挟んで両側方に位置し且つ誘導部１７３により転動領域が区切られているため、第１転動部１９１を転動する玉は、誘導部１７３を越えて第２転動部１９２まで転動してしまうことを抑止することができ、同様に、第２転動部１９２を転動する玉は、誘導部１７３を越えて第１転動部１９１まで転動してしまうことを抑止することができる。従って、第１転動部１９１を転動する玉と第２転動部１９２を転動する玉とは、誘導部１７３以外では、互いに干渉する可能性が低い。このため、第１転動部１９１及び第２転動部１９２を転動する玉の誘導部１７３への到達率は、設定された到達率で到達する可能性が高いため、遊技の興趣を削ぐことがない。
【０１５１】
また、誘導部１７３への到達率の違いは、第１転動部１９１と第２転動部１９２の形状の違いによるものであるため、複雑な機構等を用いることなく、簡単な構造で誘導部１７３への到達率に変化を与えることができるため、製造コストの低減を図ることができる。
【０１５２】
また、転動部は、誘導部１７３を挟んで両側方に位置する第１転動部１９１と第２転動部１９２とにより構成されているため、奥行方向に広い場所を必要とせず、転動部の構造の省スペース化を図ることができる。
【０１５３】
更に、第１転動部１９１又は第２転動部１９２のうちいずれか一方は、他方よりも誘導部１７３への到達率が低いながらも到達する可能性が残されているため、遊技者は、到達率が低い方に到達した玉に対しても入賞口としての普通可変入賞球装置５８への入賞の期待を持つことができ、遊技の興趣を向上させることができる。
【０１５４】
また、本実施形態においては、前記第１転動部１９１と前記第２転動部１９２とには、それぞれ玉を前記第１転動部１９１及び第２転動部１９２から排出する経路又は前記誘導部１７３へ導く経路に振り分ける振分手段１７５ａ，１７５ｂ，１７６ａ〜１７６ｄを備え、前記第１転動部１９１と前記第２転動部１９２とは、振分手段１７５ａ，１７５ｂ，１７６ａ〜１７６ｄの形状を互いに異ならせたことにより、第１転動部１９１と第２転動部１９２とで玉の動きを変えることができると共に、遊技者が、玉が誘導部１７３へ到達するか否かの振り分け態様を楽しむことができる。
【０１５５】
また、本実施形態においては、前記振分手段は、前記第１転動部１９１及び第２転動部１９２の上流から下流にかけて段階的に複数設けられると共に、玉を前記第１転動部１９１及び第２転動部１９２から排出する経路又は下流側の振分手段１７５ａ，１７５ｂ，１７６ａ，１７６ｃへ誘導する経路に振り分ける通常振分手段１７６ａ〜１７６ｄと、該通常振分手段１７６ａ〜１７６ｄの下流側に玉を前記第１転動部１９１及び第２転動部１９２から排出する経路又は前記誘導部１７３へ誘導する経路に振り分ける特別振分手段１７５ａ，１７５ｂと、から構成されていることにより、玉の動きにより変化を持たせることができると共に、遊技者が、玉が誘導部１７３へ到達するか否かの振り分け態様をより長く楽しむことができる。
【０１５６】
また、本実施形態においては、玉を前記第１転動部１９１及び第２転動部１９２から排出する経路は、玉を遊技領域４１の前面側に向けて移動させて前記第１転動部１９１及び第２転動部１９２から排出し、玉を前記誘導部１７３へ誘導する経路は、玉を遊技領域４１の後方側に向けて移動させて前記誘導部１７３に誘導することにより、玉を遊技領域４１前面側にのみあるいは、後方側にのみ順次振り分ける構造のように奥行方向に広い場所を必要とせず、振分手段１７５ａ，１７５ｂ，１７６ａ〜１７６ｄの構造の省スペース化を図ることができる。
【０１５７】
また、本実施形態においては、前記装飾部材１６１は、前記遊技領域４１を流下する玉を受け入れるための導入口１７９ａ，１７９ｂと、該導入口１７９ａ，１７９ｂに受け入れられた玉を前記第１転動部１９１と第２転動部１９２とにそれぞれ誘導する誘導通路１７８ａ，１７８ｂを備えたことにより、玉が入賞する誘導通路１７８ａ，１７８ｂによって、誘導部１７３への到達率が異なる第１転動部１９１と第２転動部１９２とのいずれかに誘導されるため、いずれの誘導通路１７８ａ，１７８ｂに玉が入球するか、遊技者に期待を持たせることができ、遊技の興趣を向上することができる。
【０１５８】
また、本実施形態においては、前記導入口１７９ａ，１７９ｂは、前記誘導通路１７８ａ，１７８ｂに対してそれぞれ設けられ、前記導入口１７９ａ，１７９ｂのうち少なくとも１つの導入口１７９ａ，１７９ｂは、他の導入口１７９ａ，１７９ｂよりも上方に位置していることにより、たとえ上方に位置する導入口１７９ａ，１７９ｂに玉が受け入れられなくても、下方に位置するその他の導入口１７９ａ，１７９ｂに玉が受け入れられる可能性があるため、遊技者は、上方に位置する導入口１７９ａ，１７９ｂに玉が受け入れられなかった玉に対しても装飾部材１６１への受け入れ、ひいては、誘導部１７３への到達の期待を持つことができる。
【０１５９】
また、本実施形態においては、前記導入口１７９ａ，１７９ｂが他の導入口１７９ａ，１７９ｂよりも上方に位置する誘導通路１７８ａ，１７８ｂは、前記第１転動部１９１又は前記第２転動部１９２のうち前記誘導部１７３への玉の到達率が高い転動部へ玉を誘導することにより、たとえ誘導部１７３への到達率が高い転動部へ誘導する導入口１７９ａ，１７９ｂに受け入れられなくても、下方には、その到達率が低いながらも誘導部１７３へ到達する可能性のある転動部へ誘導する導入口１７９ａ，１７９ｂがあるため、遊技者は、積極的に誘導部１７３への到達率が高い転動部へ誘導する導入口１７９ａ，１７９ｂへの入球を狙う楽しさを充分に味わうことができる。
【０１６０】
また、本実施形態においては、前記装飾部材１６１には、前記誘導部１７３へ到達しなかった玉を左右に転動させた後に遊技領域４１へ排出する第３転動部１６９が形成されていることにより、誘導部１７３へ到達することなく前記第１転動部１９１又は前記第２転動部１９２から排出された玉は、第３転動部１６９で左右に転動するため、入賞口としての普通可変入賞球装置５８への入賞の確率が低いが、確率が低いながらも入賞の可能性が残されているため、遊技者は、これらの玉に対しても入賞の期待を持つことができ、遊技の興趣を向上させることができる。
【０１６１】
また、本実施形態においては、前記転動部は、両側方から左右方向ほぼ中央に向けて段階的に低くなるように形成されていることにより、転動部は、両側方からほぼ中央に向けて段階的に低くなるように形成されているので、第１転動部１９１及び第２転動部１９２をほぼ同様の転動過程とすることができる。
【０１６２】
また、本実施形態においては、前記誘導部１７３は、前記転動部のほぼ中央に形成されていることにより、玉が中心に向かうに従ってより入賞の確率が高くなる構成であるため、遊技者は、玉が中心に向かう過程を楽しむことができると共に、玉の位置により入賞の確率の程度を視覚的に容易に判断することができる。
【０１６３】
更に、本実施形態においては、前記入賞口は、前記可変表示装置で可変表示を開始させる条件の成立契機となる始動入賞口としての普通可変入賞球装置５８であることにより、装飾部材１６１に受け入れられた玉がいずれの転動部を転動するかが始動入賞口としての普通可変入賞球装置５８への玉の入賞の確率を左右し、ひいては、可変表示装置４４で可変表示が行われるか否かに影響するため、遊技者をより惹き付けることができ、遊技の興趣を向上することができる。
【０１６４】
【発明の効果】
以上、説明したところから明らかなように、請求項１の発明においては、装飾部材に受け入れられた玉は、第１転動部又は第２転動部のいずれかを転動した後、入賞口へ玉を入賞させる確率の高い誘導部へ導かれるが、第１転動部と第２転動部とは、互いに形状が異なることにより、第１転動部を転動する玉と第２転動部を転動する玉とでは、誘導部へ到達する確率が異なる。従って、入賞口への入賞確率も第１転動部を転動する玉と第２転動部を転動する玉とでは異なるため、玉が第１転動部と第２転動部のいずれを転動するかに遊技者が期待を持って遊技を行なうことができる。
【０１６５】
また、第１転動部及び第２転動部を転動する玉の誘導部への到達率は、設定された到達率で到達する可能性が高いため、遊技の興趣を削ぐことがない。
【０１６６】
また、誘導部への到達率の違いは、第１転動部と第２転動部の形状の違いによるものであるため、複雑な機構等を用いることなく、簡単な構造で誘導部への到達率に変化を与えることができるため、製造コストの低減を図ることができる。
【０１６７】
また、転動部は、誘導部を挟んで両側方に位置する第１転動部と第２転動部とにより構成されているため、奥行方向に広い場所を必要とせず、転動部の構造の省スペース化を図ることができる。
【０１６８】
更に、第１転動部又は第２転動部のうちいずれか一方は、他方よりも誘導部への到達率が低いながらも到達する可能性が残されているため、遊技者は、到達率が低い方に到達した玉に対しても入賞口への入賞の期待を持つことができ、遊技の興趣を向上させることができる。
【０１６９】
また、請求項２の発明においては、第１転動部と第２転動部とで玉の動きを変えることができると共に、遊技者が、玉が誘導部へ到達するか否かの振り分け態様を楽しむことができる。
【０１７０】
また、請求項３の発明においては、玉の動きにより変化を持たせることができ、遊技者が、玉が誘導部へ到達するか否かの振り分け態様をより長く楽しむことができる。
【０１７１】
また、請求項４の発明においては、玉を遊技領域前面側にのみあるいは、後方側にのみ順次振り分ける構造のように奥行方向に広い場所を必要とせず、振分手段の構造の省スペース化を図ることができる。
【０１７２】
また、請求項５の発明においては、玉が入賞する誘導通路によって、誘導部への到達率が異なる第１転動部と第２転動部とのいずれかに誘導されるため、いずれの誘導通路に玉が入球するか、遊技者に期待を持たせることができ、遊技の興趣を向上することができる。
【０１７３】
また、請求項６の発明においては、たとえ上方に位置する導入口に玉が受け入れられなくても、下方に位置するその他の導入口に玉が受け入れられる可能性があるため、遊技者は、上方に位置する導入口に玉が受け入れられなかった玉に対しても装飾部材への受け入れ、ひいては、誘導部への到達の期待を持つことができる。
【０１７４】
また、請求項７の発明においては、たとえ誘導部への到達率が高い転動部へ誘導する導入口に受け入れられなくても、下方には、その到達率が低いながらも誘導部へ到達する可能性のある転動部へ誘導する導入口があるため、遊技者は、積極的に誘導部への到達率が高い転動部へ誘導する導入口への入球を狙う楽しさを充分に味わうことができる。
【０１７５】
また、請求項８の発明においては、誘導部へ到達することなく前記第１転動部又は前記第２転動部から排出された玉は、第３転動部で左右に転動するため、入賞口への入賞の確率が低いが、確率が低いながらも入賞の可能性が残されているため、遊技者は、これらの玉に対しても入賞の期待を持つことができ、遊技の興趣を向上させることができる。
【０１７６】
また、請求項９の発明においては、転動部は、両側方からほぼ中央に向けて段階的に低くなるように形成されているので、第１転動部及び第２転動部をほぼ同様の転動過程とすることができる。
【０１７７】
また、請求項１０の発明においては、玉が中心に向かうに従ってより入賞の確率が高くなる構成であるため、遊技者は、玉が中心に向かう過程を楽しむことができると共に、玉の位置により入賞の確率の程度を視覚的に容易に判断することができる。
【０１７８】
更に、請求項１１の発明においては、装飾部材に受け入れられた玉がいずれの転動部を転動するかが始動入賞口への玉の入賞の確率を左右し、ひいては、可変表示装置で可変表示が行われるか否かに影響するため、遊技者をより惹き付けることができ、遊技の興趣を向上することができる。
【図面の簡単な説明】
【図１】本実施形態に係る弾球遊技機を示す正面図である。
【図２】弾球遊技機に設けられる遊技盤を示す正面図である。
【図３】弾球遊技機を示す背面図である。
【図４】主基板と各種制御基板及び電気部品との関係を示すブロック図である。
【図５】装飾部材及び普通可変入賞球装置の斜視図である。
【図６】装飾部材に受け入れられた玉の動きを示す斜視図である。
【図７】装飾部材の第１転動部，第２転動部，誘導部及び第３転動部の周辺を示す平面図である。
【図８】第１転動部，第２転動部，誘導部及び第３転動部での玉の動きを示す平面図である。
【図９】種々の形状に形成された振分手段を示す概略図である。
【図１０】種々の形状に形成された振分手段を示す概略図である。
【図１１】種々の形状に形成された振分手段を示す概略図である。
【図１２】第１転動部に特定振分手段及び通常振分手段がそれぞれ１つずつ形成された状態の平面図である。
【図１３】第２実施形態にかかる装飾部材の斜視図である。
【図１４】第２実施形態にかかる装飾部材の転動部の周辺の平面図である。
【図１５】第２実施形態に係る装飾部材の転動部での玉の動きを示す平面図である。
【図１６】第３実施形態に係る装飾部材の正面図である。
【図１７】第４実施形態に係る装飾部材の斜視図である。
【図１８】第４実施形態に係る装飾部材の振分手段での玉動きを示す平面図である。
【図１９】第５実施形態に係る装飾部材の正面図である。
【図２０】第１転動部に落下誘導面が形成された場合の転動部の概略図である。
【図２１】第１転動部に落下誘導面が形成され、第２転動部に落下阻止面が形成された場合の転動部の概略図である。
【図２２】第１転動部と第２転動部とで奥行方向の傾斜が異なる場合の転動部の概略図である。
【符号の説明】
１  弾球遊技機（遊技機）
４０  遊技盤
４１  遊技領域
４４  可変表示装置
５８  普通可変入賞球装置（始動入賞口（入賞口））
１６１  装飾部材
１６９  第３転動部
１７０  玉放出部
１７３  誘導部
１７５ａ，１７５ｂ  特定振分手段
１７６ａ〜１７６ｄ  通常振分手段
１７８ａ，１７８ｂ  誘導通路
１７９ａ，１７９ｂ  導入口
１９１  第１転動部
１９２  第２転動部
【図１】
0004679774.tif 000002
【図２】
0004679774.tif 000003
【図３】
0004679774.tif 000004
【図４】
0004679774.tif 000005
【図５】
0004679774.tif 000006
【図６】
0004679774.tif 000007
【図７】
0004679774.tif 000008
【図８】
0004679774.tif 000009
【図９】
0004679774.tif 000010
【図１０】
0004679774.tif 000011
【図１１】
0004679774.tif 000012
【図１２】
0004679774.tif 000013
【図１３】
0004679774.tif 000014
【図１４】
0004679774.tif 000015
【図１５】
0004679774.tif 000016
【図１６】
0004679774.tif 000017
【図１７】
0004679774.tif 000018
【図１８】
0004679774.tif 000019
【図１９】
0004679774.tif 000020
【図２０】
0004679774.tif 000021
【図２１】
0004679774.tif 000022
【図２２】
0004679774.tif 000023